(57)【要約】【課題】  映像録画視聴システムに録画した映像を、固定通信ネットワークや移動通信ネットワークを介して移動通信端末で視聴する映像配信システムで、録画映像を様々に編集して、その結果を視聴する、あるいは関連情報を付随させて視聴可能とするなど高付加価値の映像配信を可能とする。【解決手段】  放送映像録画システムを備えた映像配信端末と映像視聴端末が通信ネットワークを介して接続される情報配信システムで、該映像配信端末に録画映像を編集可能な映像編集システムを備え、該編集に必要な編集用メタ情報を提供する映像編集用メタ情報提供システムを上記通信ネットワークに接続し、上記映像視聴端末からの視聴要求に応じて、上記映像編集システムが、上記映像編集用メタ情報提供システムの提供する映像編集用メタ情報を用いて上記放送映像の録画映像を編集して、該映像視聴端末に提供する。【選択図】  図１
2006352593.tif 000002
【特許請求の範囲】
【請求項１】
放送映像を送信する放送映像配信システムと、
該送信された放送映像を受信し、該受信した放送映像を録画映像として録画する放送映像録画視聴システムと、
該録画映像を編集可能な映像編集システムと、
通信ネットワークと、
上記通信ネットワークに接続され、通信サービスを提供する通信基地局と、
上記通信ネットワークに接続され、通信サービスを享受する通信端末システムと、
上記通信ネットワークに接続され、上記放送映像の編集に関する所定のメタ情報を格納する映像編集用メタ情報管理テーブルを有し、また該テーブルから読み出した上記所定のメタ情報を上記通信ネットワーク上に提供する映像編集用メタ情報提供システムから構成される情報配信システムにおいて、
上記放送映像録画視聴システムは、上記通信ネットワークに接続されており、
上記映像編集システムは、上記通信ネットワークに接続されており、
上記通信端末システムが、上記通信ネットワークを介して、上記放送映像録画視聴システムに録画映像転送要求を送信し、
該録画映像転送要求を受信した放送映像録画視聴システムは、該転送を要求された録画映像を上記映像編集システムに送信し、
該録画映像転送要求を受信した放送映像録画視聴システムは、上記映像編集用メタ情報提供システムに対して、上記転送を要求された録画映像に対応する映像編集用メタ情報を、上記映像編集システムに転送することを要求する、映像編集用メタ情報転送要求を上記映像編集用メタ情報提供システムに送信し、
該映像編集用メタ情報転送要求を受信した上記映像編集用メタ情報提供システムは、該転送を要求された映像編集用メタ情報を上記映像編集システムに送信し、
上記送信された録画映像と映像編集用メタ情報を受信した上記映像編集システムは、該受信した映像編集用メタ情報に基づき該受信した録画映像を編集し、
該編集の結果である編集結果映像を、上記録画映像転送要求の応答として上記通信端末システムに送信することを特徴とする情報配信システム。
【請求項２】
放送映像を送信する放送映像配信システムと、
該送信された放送映像を受信し、該受信した放送映像を録画映像として録画する放送映像録画視聴システムと、
該録画映像を編集可能な映像編集システムと、
通信ネットワークと、
上記通信ネットワークに接続され、通信サービスを提供する通信基地局と、
上記通信ネットワークに接続され、通信サービスを享受する通信端末システムと、
上記通信ネットワークに接続され、上記放送映像の編集に関する所定のメタ情報を格納する映像編集用メタ情報管理テーブルを有し、また該テーブルから読み出した上記所定のメタ情報を上記通信ネットワーク上に提供する映像編集用メタ情報提供システムから構成される情報配信システムにおいて、
上記放送映像録画視聴システムは、上記通信ネットワークに接続されており、
上記映像編集システムは、上記通信ネットワークに接続されており、
上記通信端末システムが、上記通信ネットワークを介して、上記映像編集用メタ情報提供システムに録画映像転送要求を送信し、
該録画映像転送要求を受信した映像編集用メタ情報提供システムは、該転送を要求された録画映像に対応する映像編集用メタ情報を上記映像編集システムに送信し、
該録画映像転送要求を受信した映像編集用メタ情報提供システムは、該転送を要求された録画映像を、上記映像編集システムに転送することを要求する録画映像転送要求を、上記放送映像録画視聴システムに送信し、
該録画映像転送要求を受信した上記放送映像録画視聴システムは、該転送を要求された録画映像を上記映像編集システムに送信し、
上記送信された録画映像と映像編集用メタ情報を受信した上記映像編集システムは、該受信した映像編集用メタ情報に基づき該受信した録画情報を編集し、
該編集の結果である編集結果映像を、上記録画映像転送要求の応答として上記通信端末システムに送信することを特徴とする情報配信システム。
【請求項３】
請求項１または２に記載の情報配信システムで、
上記放送映像の編集に関する所定のメタ情報とは、当該映像の一つまたは複数の部分映像に関して、当該部分映像を特定する位置情報および時間情報のうち少なくとも一方からなること特徴とする情報配信システム。
【請求項４】
請求項１または２に記載の情報配信システムで、
上記受信した放送映像を録画映像として録画する一つまたは複数の放送映像録画視聴システムが存在し、
該一つまたは複数の放送映像録画視聴システムは、
該録画映像が利用者に視聴された場合に、該視聴の形態に関する所定の視聴形態メタ情報であり、視聴開始位置、視聴終了位置、視聴回数、早送り開始位置、早送り終了位置、巻き戻し開始位置および巻き戻し終了位置のうち少なくとも１つを含むなど視聴形態メタ情報を採取し、該採取された視聴形態メタ情報を格納する視聴形態メタ情報管理テーブルを有し、
上記視聴形態メタ情報管理テーブルから読み出した視聴形態メタ情報を、上記通信ネットワークを介して、上記映像編集用メタ情報提供システムに送信し、
該送信された視聴形態メタ情報を受信した上記映像編集用メタ情報提供システムは、該受信した視聴形態メタ情報を映像編集用メタ情報管理テーブルに順次格納し、
該視聴形態メタ情報を格納した上記映像編集用メタ情報提供システムは、該視聴形態メタ情報を提供した利用者に該情報提供に対する対価を付与し、
該視聴形態メタ情報を格納した上記映像編集用メタ情報提供システムは、該映像編集用メタ情報管理テーブルの一つまたは複数の視聴形態メタ情報を入力として所定の映像編集用メタ情報作成処理を実行し、上記放送映像の編集に関する所定のメタ情報を作成することを特徴とする情報配信システム。
【請求項５】
請求項１または２に記載の情報配信システムで、
上記送信された放送映像は、一つまたは複数の広告映像を付随しており、
上記映像編集用メタ情報提供システムにおいて、上記所定のメタ情報として映像編集用メタ情報管理テーブルに加えて、放送映像の各々について該放送映像のメタ情報と該付随する広告映像のメタ情報とがから構成される放送映像メタ情報管理テーブルを備えており、
上記映像編集用メタ情報提供システムは、上記通信端末システムに係わる通信サービス契約者に関する性別および年齢のうち少なくとも一方を含むのメタ情報を格納した通信サービス契約者メタ情報管理テーブルを有し、
上記録画映像転送要求を受信した映像編集用メタ情報提供システムは、
該録画映像転送要求を送出した通信端末システムの通信サービス契約者のメタ情報を、上記通信サービス契約者メタ情報管理テーブルから読み出し、
さらに該映像編集用メタ情報提供システムは、該転送を要求された録画映像に対応する放送映像の放送映像メタ情報管理テーブルから、上記広告映像のメタ情報を読み出し、
該読み出した広告映像のメタ情報と上記通信サービス契約者のメタ情報とが適切な組合せにあるか否かを判定するメタ情報組合せ判定処理を備え、
該メタ情報組合せ判定処理の判定結果を入力として、上記所定の映像編集用メタ情報作成処理を実行し、上記放送映像に関する所定のメタ情報を作成することを特徴とする情報配信システム。
【発明の詳細な説明】
【技術分野】
【０００１】
本発明は、ネットワークを介して、情報を配信する技術に関する。その中でも特に、テレビ放送に代表される映像配信システムと映像録画再生システム、固定電話に代表される固定通信ネットワークの基地局および端末システムからなる固定通信システム、形態電話に代表される移動通信ネットワークの基地局および端末システムからなる移動通信システム、およびインターネットに代表される広域通信ネットワークから構成される情報配信システムに関する。特に上記テレビにより放送される映像情報の配信システムに係る。
【背景技術】
【０００２】
最も一般に普及している映像配信システムとしてテレビ放送が挙げられる。テレビ放送は、デジタル放送など通信システムの技術革新と、フラットパネルディスプレイなど映像表示機器の技術革新により、今後も映像配信システムの代表としての地位を保つことが期待される。さらに、ビデオレコーダなど映像録画再生機器の普及は、放映時間にとらわれず自由な時間に放送映像を視聴することを実現した。この新たな視聴形態は、ストック型視聴形態と呼ばれている。特にハードディスクストレージを内蔵したビデオレコーダが開発されて長時間の映像録画再生が可能となった。その結果、今後はストック型視聴形態が主流となるとの調査結果が示されている。
【０００３】
一方、携帯電話の普及は、場所にとらわれない双方向通信サービスの利用を可能とした。携帯電話には、テレビ映像の受信機能を備える製品も開発されており、新たな映像視聴機器としての地位を確保しつつある。さらに携帯電話を用いることで、モバイル環境での映像視聴スタイルが生まれつつある。
最後に、視聴対象の番組種別に関する制約も開放へのニーズがある。好きな番組をリクエストし視聴する方法として、ビデオオンデマンドシステムや、レンタルビデオシステムが普及している。
【０００４】
【非特許文献１】テレビジョン技術のすべて、電波新聞社、２００２年１０月
【発明の開示】
【発明が解決しようとする課題】
【０００５】
時間や場所にとらわれずに、好きな映像を自由に視聴したいというニーズを満たす技術について考える。
まずビデオレコーダは、上記ストック型の放送番組視聴を可能とし、時間の制約からの開放を実現した。しかし、ビデオレコーダはテレビアンテナに接続する必要がある。また、大容量の記憶デバイスを内蔵するため筐体サイズが大きくなる。従ってビデオレコーダは、据え置き型の情報機器として家庭に設置され利用される形態が一般的である。即ち、ビデオレコーダを用いた番組の録画視聴は、携帯性に欠ける問題がある。
【０００６】
一方、テレビ受信機能を備えた携帯電話は、サイズや重さの制約から大容量の映像情報を蓄積することができず、リアルタイムな放送受信に利用が限定される。即ち、携帯電話を用いた番組の視聴は、時間的な自由度に欠けるという問題がある。
【０００７】
最後にビデオオンデマンドシステムは、視聴番組の自由度に関して、最大限の自由度を提供可能である。しかし、多くの利用者を対象としたビデオオンデマンドサービスは、システムが大規模となり、また毎回の視聴ごとに著作権料を含む利用料を支払わねばならないなど、複雑なシステム構築と運用が必要となる問題がある。一方、上記ハードディスク内蔵型のビデオレコーダのように、大量の映像プログラムを録画可能な映像機器が普及した場合、個人の嗜好に合ったテレビ番組を大量に録画して、その中から視聴番組を自由に選択できれば、実質的な視聴番組の自由度は大きく向上する。さらに個人が所有する映像情報は、個人の利用する範囲では著作権料を支払う必要がないのが通常である。
【０００８】
以上をまとめると、現在のビデオレコーダや携帯電話およびビデオオンデマンドシステムでは、時間や場所にとらわれずに自由に映像を視聴できないという問題がある。本発明は、上記課題を解決し、時間や場所の制約にとらわれずに利用者が大きな自由度を持って映像視聴できるシステムを実現する点にある。
【課題を解決するための手段】
【０００９】
上記課題を解決する第１の手段として、
放送映像を送信する放送映像配信システムと、
該送信された放送映像を受信し、該受信した放送映像を録画映像として録画する放送映像録画視聴システムと、
該録画映像を編集可能な映像編集システムと、
通信ネットワークと、
上記通信ネットワークに接続され、通信サービスを提供する通信基地局と、
上記通信ネットワークに接続され、通信サービスを享受する通信端末システムと、
上記通信ネットワークに接続され、上記放送映像の編集に関する所定のメタ情報を格納する映像編集用メタ情報管理テーブルを有し、また該テーブルから読み出した上記所定のメタ情報を上記通信ネットワーク上に提供する映像編集用メタ情報提供システムから構成される情報配信システムにおいて、
上記放送映像録画視聴システムは、上記通信ネットワークに接続されており、
上記映像編集システムは、上記通信ネットワークに接続されており、
上記通信端末システムが、上記通信ネットワークを介して、上記放送映像録画視聴システムに録画映像転送要求を送信し、
該録画映像転送要求を受信した放送映像録画視聴システムは、該転送を要求された録画映像を上記映像編集システムに送信し、
該録画映像転送要求を受信した放送映像録画視聴システムは、上記映像編集用メタ情報提供システムに対して、上記転送を要求された録画映像に対応する映像編集用メタ情報を、上記映像編集システムに転送することを要求する、映像編集用メタ情報転送要求を上記映像編集用メタ情報提供システムに送信し、
該映像編集用メタ情報転送要求を受信した上記映像編集用メタ情報提供システムは、該転送を要求された映像編集用メタ情報を上記映像編集システムに送信し、
上記送信された録画映像と映像編集用メタ情報を受信した上記映像編集システムは、該受信した映像編集用メタ情報に基づき該受信した録画映像を編集し、
該編集の結果である編集結果映像は、上記録画映像転送要求の応答として上記通信端末システムに送信される
ように情報配信システムを構成する。
【００１０】
上記構成をとることにより、上記移動通信ネットワークの契約者は、同移動通信ネットワークに接続された通信端末システムから、固定通信ネットワークを介して、同固定通信ネットワークに接続された放送映像録画視聴システム内の任意の映像を、任意の編集処理を施した形で視聴することが可能となる。さらに上記構成の場合、一般の映像配信システムとは異なり、契約者が視聴する映像は契約者自身が録画した映像であり、他の事業者が配信する映像ではないため、著作権料あるいは利用料の支払が生じないという利点がある。
【００１１】
さらに、上記課題を解決する第２の手段として、
放送映像を送信する放送映像配信システムと、
該送信された放送映像を受信し、該受信した放送映像を録画映像として録画する放送映像録画視聴システムと、
該録画映像を編集可能な映像編集システムと、
通信ネットワークと、
上記通信ネットワークに接続され、通信サービスを提供する通信基地局と、
上記通信ネットワークに接続され、通信サービスを享受する通信端末システムと、
上記通信ネットワークに接続され、上記放送映像の編集に関する所定のメタ情報を格納する映像編集用メタ情報管理テーブルを有し、また該テーブルから読み出した上記所定のメタ情報を上記通信ネットワーク上に提供する映像編集用メタ情報提供システムから構成される情報配信システムにおいて、
上記放送映像録画視聴システムは、上記通信ネットワークに接続されており、
上記映像編集システムは、上記通信ネットワークに接続されており、
上記通信端末システムが、上記通信ネットワークを介して、上記映像編集用メタ情報提供システムに録画映像転送要求を送信し、
該録画映像転送要求を受信した映像編集用メタ情報提供システムは、該転送を要求された録画映像に対応する映像編集用メタ情報を上記映像編集システムに送信し、
該録画映像転送要求を受信した映像編集用メタ情報提供システムは、該転送を要求された録画映像を、上記映像編集システムに転送することを要求する録画映像転送要求を、上記放送映像録画視聴システムに送信し、
該録画映像転送要求を受信した上記放送映像録画視聴システムは、該転送を要求された録画映像を上記映像編集システムに送信し、
上記送信された録画映像と映像編集用メタ情報を受信した上記映像編集システムは、該受信した映像編集用メタ情報に基づき該受信した録画情報を編集し、
該編集の結果である編集結果映像は、上記録画映像転送要求の応答として上記通信端末システムに送信される
ように情報配信システムを構成する。
【００１２】
上記構成をとることにより、映像編集用メタ情報提供システムは、上記転送を要求された録画映像に関する映像編集用メタ情報を、より短い時間で上記映像編集システムに送付することが可能となり、システム全体の応答時間を短縮することができる。
【００１３】
さらに、上記課題を解決する第３の手段として、
上記第１の手段、または第２の手段を備えた情報配信システムで、
上記放送映像の編集に関する所定のメタ情報とは、当該映像の一つまたは複数の部分映像に関して、当該部分映像を特定する位置情報あるいは時間情報からなること特徴とするように情報配信システムを構成する。
【００１４】
上記構成をとることにより、上記映像編集システムが、放送映像録画視聴システムの録画映像を、効率的に編集することが可能となる。
【００１５】
さらに、上記課題を解決する第４の手段として、
上記第１の手段、または第２の手段を備えた情報配信システムで、
上記受信した放送映像を録画映像として録画する一つまたは複数の放送映像録画視聴システムが存在し、
該一つまたは複数の放送映像録画視聴システムは、
該録画映像が利用者に視聴された場合に、該視聴の形態に関する所定の視聴形態メタ情報（視聴開始位置、視聴終了位置、視聴回数、早送り開始位置、早送り終了位置、巻き戻し開始位置、巻き戻し終了位置など）を採取し、該採取された視聴形態メタ情報を格納する視聴形態メタ情報管理テーブルを有し、
上記視聴形態メタ情報管理テーブルから読み出した視聴形態メタ情報を、上記通信ネットワークを介して、上記映像編集用メタ情報提供システムに送信し、
該送信された視聴形態メタ情報を受信した上記映像編集用メタ情報提供システムは、該受信した視聴形態メタ情報を映像編集用メタ情報管理テーブルに順次格納し、
該視聴形態メタ情報を格納した上記映像編集用メタ情報提供システムは、該視聴形態メタ情報を提供した利用者に該情報提供に対する対価を付与し、
該視聴形態メタ情報を格納した上記映像編集用メタ情報提供システムは、該映像編集用メタ情報管理テーブルの一つまたは複数の視聴形態メタ情報を入力として所定の映像編集用メタ情報作成処理を実行し、上記放送映像の編集に関する所定のメタ情報を作成するように情報配信システムを構成する。
上記構成をとることにより、上記編集対象の録画映像について視聴者数の多い、即ち人気の高い映像部分を編集結果として生成可能な映像編集用メタ情報を作成することが可能となる。
【００１６】
さらに、上記課題を解決する第５の手段として、
上記第１の手段、または第２の手段を備えた情報配信システムで、
上記送信された放送映像は、一つまたは複数の広告映像を付随しており、
上記映像編集用メタ情報提供システムにおいて、上記所定のメタ情報として映像編集用メタ情報管理テーブルに加えて、放送映像の各々について該放送映像のメタ情報と該付随する広告映像のメタ情報とがから構成される放送映像メタ情報管理テーブルを備えており、
上記映像編集用メタ情報提供システムは、上記通信端末システムに係わる通信サービス契約者のメタ情報（性別、年齢など）を格納した通信サービス契約者メタ情報管理テーブルを有し、
上記録画映像転送要求を受信した映像編集用メタ情報提供システムは、
該録画映像転送要求を送出した通信端末システムの通信サービス契約者のメタ情報を、上記通信サービス契約者メタ情報管理テーブルから読み出し、
さらに該映像編集用メタ情報提供システムは、該転送を要求された録画映像に対応する放送映像の放送映像メタ情報管理テーブルから、上記広告映像のメタ情報を読み出し、
該読み出した広告映像のメタ情報と上記通信サービス契約者のメタ情報とが適切な組合せにあるか否かを判定するメタ情報組合せ判定処理を備え、
該メタ情報組合せ判定処理の判定結果を入力として、上記所定の映像編集用メタ情報作成処理を実行し、上記放送映像に関する所定のメタ情報を作成するように情報配信システムを構成する。
【００１７】
上記構成をとることにより、上記契約者が録画映像を移動通信端末システムに転送視聴する際に、該録画映像に放送時に付随していた広告映像の内容を、自由に変更することが可能となり、視聴者の属性や、転送視聴時の場面状況に応じた内容の広告映像を付帯することが可能となる。
【００１８】
さらに、上記課題を解決するための第６の手段として、
上記第５手段を備えた情報配信システムにおいて、
上記放送映像メタ情報提供システムは、上記作成した放送映像に関する所定のメタ情報について、該メタ情報が含む広告映像部分のメタ情報に基づき、広告費用を算定する広告費用算定処理を備えるように情報配信システムを構成する。
【００１９】
上記構成をとることにより、放送映像メタ情報提供システムは、映像放送時ではなく、録画映像視聴時の広告映像の配信に関する費用を、当該映像の広告主に請求することが可能となり、システム運用費用を多くの事業者でシェアすることにより、事業者や契約者の費用負担の軽減を図ることが可能となる。
【００２０】
さらに、上記課題を解決する第７の手段として、
上記第１の手段、または第２の手段を備えた情報配信システムで、
上記通信ネットワークとは、固定通信ネットワークと移動通信ネットワークから構成され、
上記通信端末システムとは、上記移動通信ネットワークの移動通信端末システムであり、
上記通信基地局とは、上記固定通信ネットワークの固定通信基地局であり、
上記固定通信ネットワークと移動通信ネットワーク間の通信データを中継する通信ネットワーク間連携システムを備え、
該通信ネットワーク間連携システムは、上記録画映像の転送要求が上記移動通信ネットワークから固定通信ネットワークに転送されるように指示し、
該通信ネットワーク間連携システムは、上記録画映像の応答が、上記固定通信ネットワークから移動通信ネットワークに送信されるように指示し、
該通信ネットワーク間連携システムは、上記固定通信通信ネットワークに接続される上記放送映像録画視聴システムに対する通信アクセスの内で、上記移動通信ネットワークに接続された上記移動通信端末システム以外からの通信アクセスを遮断する
ように情報配信システムを構成する。
上記構成をとることにより、上記固定通信ネットワークに接続される上記放送映像録画視聴システムに対して、上記通信契約者の移動通信端末システム以外の移動通信端末システムおよび固定通信端末システムからのアクセスを遮断することが可能となり、システム全体の安全性を向上させることが可能となる。
さらに、上記課題を解決する第７の手段として、
上記第１の手段、あるいは第２の手段を備えた情報配信システムにおいて、
上記通信ネットワークに接続され、各種情報を提供するネット情報提供システムを備え、
上記映像編集用メタ情報提供システムは、上記映像編集用メタ情報作成システムに加えて、上記ネット情報提供システムが提供する提供情報の検索と分析を実施するネット情報検索分析システムを備えており、
上記固定通信端末システムには、上記ネット情報提供システムを検索可能なネット情報検索編集システムが接続されており、
上記ネット情報検索分析システムは、上記映像編集用メタ情報作成システムから提供された放送映像メタ情報テーブル内のキーワードを用いてネット情報提供システムを対象に関連情報を検索するネット情報検索システムを備え、
上記検索結果であるネット情報のメタ情報（関連情報名、アドレス情報、キーワードなど）はネット情報メタ情報管理テーブルに格納され、
上記格納されたネット情報メタ情報の関連情報名と、上記映像編集用メタ情報作成システムから提供された放送映像メタ情報テーブルの番組名とが関連付けられて、ネット情報関連情報管理テーブルに格納され、
上記映像編集用メタ情報作成システムは、上記ネット情報関連情報管理テーブルとネット情報メタ情報テーブルに格納された情報を用いて、上記転送を要求された録画映像に対応する映像編集用メタ情報を作成して、上記固定通信端末システムの映像編集システムに送付し、
上記送信された録画映像と映像編集用メタ情報を受信した上記映像編集システムは、該受信した映像編集用メタ情報を用いて上記ネット情報検索編集システムを起動してネット情報を検索し、該検索されたネット情報と上記受信した録画映像とを編集し、
該編集の結果である編集結果映像は、上記録画映像転送要求の応答として上記移動通信端末システムに送信されるように情報配信システムを構成する。
【００２１】
上記構成をとることにより、上記移動通信ネットワークの契約者は、上記移動通信端末システムで視聴した上記録画映像に関連する種々のネット情報を、当該移動通信端末システムで自由に参照することが可能となる。
【００２２】
さらに、上記課題を解決する第９の手段として、
放送映像を送信する放送映像配信システムと、
該送信された映像を受信する放送映像録画視聴システムと、
固定通信ネットワークに接続され固定通信サービスを提供する固定通信基地局と、
固定通信ネットワークに接続され固定通信サービスを享受する固定通信端末システムと、
無線通信ネットワークに接続され無線通信サービスを提供する無線通信基地局と、
無線通信ネットワークに接続され無線通信サービスを享受する無線通信端末システムと、
広域ネットワークから構成される情報配信システムにおいて、
上記移動通信基地局が移動通信ネットワーク・ゲートウェイを介して上記広域ネットワークに接続され、
上記固定通信基地局が固定通信ネットワーク・ゲートウェイを介して上記広域ネットワークに接続され、
上記移動通信ネットワークと上記固定通信ネットワークを連携する通信事業者間連携システムが上記広域ネットワークに接続され、
上記移動通信端末システムから送出された通信事業者間連携サービス接続要求は、上記移動通信ネットワークと上記移動通信基地局と上記移動通信ネットワーク・ゲートウェイと広域ネットワークを介して、上記通信事業者間連携システムに受付けられ、
上記通信事業者間連携システムは、該受付けた通信事業者間連携サービス接続要求の要求元である移動通信端末システム認証処理を備え、
上記通信事業者間連携システムは、該移動通信端末システム認証処理により認証された接続要求に含まれる移動通信ネットワーク・ゲートウェイ識別番号と移動通信基地局識別番号と移動通信端末システム識別情報を用いて、該移動通信端末システムが接続可能な固定通信ネットワーク・ゲートウェイ識別番号と固定通信基地局識別番号および固定通信端末システム識別番号を決定する移動通信端末システム中継処理を備えるように情報配信システムを構成する。
【００２３】
上記構成をとることにより、上記固定通信ネットワークに接続される上記放送映像録画視聴システムに対して、上記通信契約者の移動通信端末システムのみを接続することが可能となり、システム全体の安全性を向上させることが可能となる。
【００２４】
さらに、上記課題を解決する第１０の手段として、
上記第９の手段を備えた情報配信システムで、
上記放送映像録画視聴システムは上記固定通信端末システムに接続され、
上記放送映像録画視聴システムは録画映像の索引情報を記録し、
上記移動通信端末システムは、上記通信事業者間連携システムに対して、上記放送映像録画視聴システムが録画した番組名の一覧情報の送付を要求する第一の録画番組一覧情報要求を送信し、
該送信された第一の録画番組一覧情報要求は、上記移動通信ネットワークと上記移動通信基地局と上記移動通信ネットワーク・ゲートウェイと上記広域ネットワークを介して、上記通信事業者間連携システムに受信され、
上記通信事業者間連携システムは、該受信した第一の録画番組一覧情報要求を用いて第二の録画番組一覧情報要求を作成し、
上記通信事業者間連携システムは、上記接続可能な固定通信ネットワーク・ゲートウェイと固定通信基地局および固定通信端末システムに対して、該作成した第二の録画番組一覧情報要求を送信し、
該送信された第二の録画番組一覧情報要求は、上記広域ネットワークと上記固定通信ネットワーク・ゲートウェイと上記固定通信基地局と上記固定通信ネットワークを介して、上記固定通信端末システムに受信され、
固定通信端末システムは、該受信した第二の録画番組一覧情報要求を、上記放送映像録画視聴システムに転送し、
該第二の録画番組一覧情報要求を転送された該放送映像録画視聴システムは、自己が記録した録画映像のメタ情報を録画映像メタ情報管理テーブルから読み出して、該第二の録画番組一覧情報要求に対する応答を作成し、
該作成された第二の録画番組一覧情報応答は、上記固定通信端末システムと上記固定通信ネットワークと上記固定通信基地局と上記固定通信ネットワーク・ゲートウェイと上記広域ネットワークを介して、上記通信事業者間連携システムに送信され、
上記通信事業者間連携システムは、該送信された第二の録画番組一覧情報応答を用いて第一の録画番組一覧情報要求の応答を作成し、
上記通信事業者間連携システムは、該作成された第一の録画番組一覧情報応答を、上記要求送信元の移動通信端末システムに送信し、
該送信された第一の録画番組一覧情報応答は、上記広域ネットワークと上記移動通信ネットワーク・ゲートウェイと上記移動通信基地局と上記移動通信ネットワークを介して上記要求送信元の移動通信端末システムに受信され、
上記移動通信端末システムは、該受信した第一の録画番組一覧情報応答に基づいて録画した番組名の一覧情報を表示するように情報配信システムを構成する。
【００２５】
上記構成をとることにより、上記移動通信契約者は、上記放送映像録画視聴システムに録画した放送映像の一覧を、移動通信端末システムを用いて自由に参照することが可能となり、システムの利便性が向上する。
【００２６】
さらに、上記課題を解決する第１１の手段として、
上記第１１の手段を備えた情報配信システムで、
上記移動通信端末システムが表示した上記録画した番組名の一覧情報から、一つの録画映像が選択され、該選択された録画映像の送付を要求する第一の録画映像転送要求が作成され、
上記移動通信端末システムは、上記通信事業者間連携システムに対して、第一の録画映像転送要求を送信し、
該送信された第一の録画映像転送要求は、上記移動通信ネットワークと上記移動通信基地局と上記移動通信ネットワーク・ゲートウェイと上記広域ネットワークを介して、上記通信事業者間連携システムに受信され、
上記通信事業者間連携システムは、該受信した第一の録画映像転送要求を用いて第二の録画映像転送要求を作成し、
上記通信事業者間連携システムは、上記接続可能な固定通信ネットワーク・ゲートウェイと固定通信基地局および固定通信端末システムに対して、該作成した第二の録画映像転送要求を送信し、
該送信された第二の録画映像転送要求は、上記広域ネットワークと上記固定通信ネットワーク・ゲートウェイと上記固定通信基地局と上記固定通信ネットワークを介して、上記固定通信端末システムに受付けられ、
固定通信端末システムは、該受信した第二の録画映像転送要求を、上記放送映像録画視聴システムに転送し、
該第二の録画映像転送要求を転送された該放送映像録画視聴システムは、自己が記録した録画映像を読み出して、該第二の録画映像転送要求に対する応答を作成し、
該作成された第二の録画映像転送応答は、上記固定通信端末システムと上記固定通信ネットワークと上記固定通信基地局と上記固定通信ネットワーク・ゲートウェイと上記広域ネットワークを介して、上記通信事業者間連携システムに送信され、
上記通信事業者間連携システムは、該送信された第二の録画映像転送応答を用いて第一の録画映像転送要求の応答を作成し、
上記通信事業者間連携システムは、該作成された第一の録画映像転送応答を、上記要求送信元の移動通信端末システムに送信し、
該送信された第一の録画映像転送応答は、上記広域ネットワークと上記移動通信ネットワーク・ゲートウェイと上記移動通信基地局と上記移動通信ネットワークを介して上記要求送信元の移動通信端末システムに受信され、
上記移動通信端末システムは、該受信した第一の録画映像転送応答に基づいて録画映像を表示するように情報配信システムを構成する。
【００２７】
上記構成をとることにより、上記通信契約者は、上記移動通信ネットワークの契約者は、同移動通信ネットワークに接続された通信端末システムから、固定通信ネットワークを介して、同固定通信ネットワークに接続された放送映像録画視聴システム内の任意の映像を、任意の編集処理を施した形で視聴できる。
【００２８】
さらに、上記課題を解決する第１２の手段として、
上記第１１手段を備えた情報配信システムで、
上記移動通信ネットワーク・ゲートウェイと移動通信基地局には移動通信側映像転送システムが接続され、
上記固定通信ネットワーク・ゲートウェイと固定通信基地局には固定通信側映像転送システムが接続され、
上記通信事業者間連携システムは、上記認証された接続要求を送出した移動通信ネットワーク・ゲートウェイに接続された上記移動通信側映像転送システムと、上記接続可能な固定通信ネットワーク・ゲートウェイに接続された上記固定通信側映像転送システムに対して、両システムの間で所定の通信品質を備えた映像転送専用通信回線を開設するよう指示し、
上記第二の録画映像転送要求を受信した上記放送映像録画視聴システムは、当該第二の録画映像転送要求が指定する録画映像を読み出して、上記録画映開設された映像転送専用通信回線を利用する第三の像転送要求を作成し、
上記作成された第三の録画映像転送要求は、上記固定通信端末システムと上記固定通信ネットワークと上記固定通信基地局を介して、上記固定通信側映像転送システムに送信され、
上記固定通信側映像転送システムは、該送信された録画映像転送要求を、上記映像転送専用通信回線を介して、上記要求送出元の上記移動通信ネットワーク・ゲートウェイに接続された上記移動通信側映像転送システムに送信し、
上記移動通信側映像転送システムは、該受信した第三の録画映像転送要求を、上記移動通信基地局と上記移動通信ネットワークを介して上記第一の映像転送要求送出元の移動通信端末システムに送信し、
上記移動通信端末システムは、該受信した第三の映像転送要求を用いて録画映像を表示する
ように情報配信システムを構成する。
【００２９】
上記構成をとることにより、上記移動通信ネットワークの契約者は、同移動通信ネットワークに接続された通信端末システムから、固定通信ネットワークを介して、同固定通信ネットワークに接続された放送映像録画視聴システム内の任意の映像を、短い応答時間でかつ高品質のストリーム映像として視聴することが可能となる。
【００３０】
また、放送映像を送信する放送映像配信システムと、
該送信された放送映像を受信し、該受信した放送映像を録画映像として録画する放送映像録画視聴システムと、
該録画映像を編集可能な映像編集システムと、
通信ネットワークと、
上記通信ネットワークに接続され、通信サービスを提供する通信基地局と、
上記通信ネットワークに接続され、通信サービスを享受する通信端末システムと、
上記通信ネットワークに接続され、上記放送映像の編集に関する所定のメタ情報を格納する映像編集用メタ情報管理テーブルを有し、また該テーブルから読み出した上記所定のメタ情報を上記通信ネットワーク上に提供する映像編集用メタ情報提供システムから構成される情報配信システムにおいて、
上記放送映像録画視聴システムは、上記通信ネットワークに接続されており、
上記映像編集システムは、上記通信ネットワークに接続されており、
上記通信端末システムが、上記通信ネットワークを介して、上記映像編集用メタ情報提供システムに映像編集用メタ情報転送要求を送信し、
該映像編集用メタ情報転送要求を受信した上記映像編集用メタ情報提供システムは、該転送を要求された映像編集用メタ情報を上記通信端末システムに送信し、
上記通信端末システムが、上記放送映像録画視聴システムに録画映像転送要求を送信し、
該録画映像転送要求を受信した放送映像録画視聴システムは、該転送を要求された録画映像を上記映像編集システムに送信し、
上記送信された録画映像と映像編集用メタ情報を受信した上記映像編集システムは、該受信した映像編集用メタ情報に基づき該受信した録画映像を編集し、
該編集の結果である編集結果映像は、上記録画映像転送要求の結果として上記放送映像録画視聴システムに送信されて視聴されるように情報配信システムを構成する。
【００３１】
上記構成をとることにより、放送映像録画視聴システムは、様々な形式の編集映像を選択して視聴することが可能となる。
【発明の効果】
【００３２】
本発明によれば、利用者は、移動通信ネットワークに接続された移動通信端末システムを用いて、時間や場所の制約にとらわれずに、利用者が録画した放送映像を、必要に応じて映像編集処理を施しつつ、自由に視聴できるシステムを実現することが可能となる。ここで上記視聴において、利用者は自分が録画した映像を視聴するので、著作権使用料などの新たな費用負担が必要ないという利点がある。さらに、上記映像編集処理のために使用する映像編集用メタ情報を作成し配信するシステムを設けたことで、利用者は状況に応じた様々な編集形態の情報視聴が可能になる。また、利用者の視聴形態に関するメタ情報を採取し、上記映像編集用メタ情報を作成し配信するシステムに収集することで、多くの利用者の意向を反映した付加価値の高い映像編集用メタ情報の作成が可能となる。
【発明を実施するための最良の形態】
【００３３】
本発明の一実施例の映像配信システムの構成を図1に示す。まず図１を用いて、本願の映像配信システムの概要を説明する。
【００３４】
この映像配信システムは、インターネット上のＷｅｂサーバに代表されるネット情報提供事業者１００と、放送映像を配信する放送事業者１１０と、携帯電話に代表される移動通信事業者１３０と、インターネットサービスプロバイダと固定電話の組合せに代表される固定通信事業者１４０と、これら移動通信サービスや固定通信サービスを受ける通信サービス契約者１５０と、本出願に特有の事業者である映像編集用メタ情報提供事業者１２０の参加者から構成される。
【００３５】
この映像配信システムの利用者である通信サービス契約者１５０は、上記放送映像を受信し録画し視聴するためのテレビやビデオレコーダに代表される放送映像録画視聴システム１５８を所有し、また移動通信サービスの端末システムである携帯電話に代表される移動通信端末システム１５１を所有し、また固定通信サービスの端末システムであるパーソナルコンピュータに代表される固定通信端末システム１５２を所有している。
【００３６】
この映像配信システムによれば、上記通信サービス契約者が、外出先で携帯電話を用いて、自宅のビデオレコーダに録画した放送映像を「自由に」視聴することが可能となる。具体的に「自由に」とは、複数の録画映像のうちで任意の映像について、指定箇所からの再生・停止や、早送り・巻き戻しなどの特殊再生機能の提供をさす。さらに、スポーツ中継映像のハイライトシーンやダイジェスト映像を視聴する、ニュース番組の特定テーマの映像部分のみを視聴する、さらには該録画映像に関連するネット情報の提供など、モバイル環境での効率的な映像視聴を可能とする機能群をさす。
【００３７】
上記自由な視聴を可能とするために、この映像配信システムは以下の特徴を有する。まず上記通信サービス契約者１５０は映像編集システム１５６を所有する。該映像編集システム１５６は、上記映像編集用メタ情報提供事業者１２０の提供する映像編集用メタ情報に従い、上記映像録画視聴システム１５８が録画した放送映像を編集する。該編集の結果である映像情報は、固定通信端末システム１５０、固定通信事業者１４０、移動通信事業者１３０を介して、上記移動通信端末システム１５１へと配送される。
【００３８】
上記映像編集用メタ情報提供事業者１２０は、放送映像のダイジェスト映像やハイライト映像の編集に必要なメタ情報を作成し、あるいは上記映像情報に関連する他のネット情報を参照するために必要なメタ情報を作成する映像編集用メタ情報提供システム１２３を所有する。
【００３９】
映像編集用メタ情報提供システム１２３は、放送映像受信システム１２７を用いて放送事業者１１０から放送映像を受信し、映像編集用メタ情報作成システム１２６を用いて該受信映像を解析して、当該放送映像のダイジェスト映像やハイライト映像を作成するための映像処理用メタ情報を作成する。さらに、映像編集用メタ情報作成システム１２６は、通信サービス契約者１５０の放送映像録画視聴システム１５８が採取した視聴形態情報を上記解析処理の入力として用いて、上記映像編集用メタ情報を作成する。さらに映像編集用メタ情報提供システム１２３は、ネット情報検索分析システム１２４を用いて、当該放送映像に関連するネット情報を広域ネットワーク上の情報サービスシステムから検索して分析し、上記映像編集用メタ情報を作成する。
【００４０】
上述のように、本発明の映像配送システムでは、映像編集用メタ情報の提供と、映像編集処理とを独立化することで、著作権の制約を満たした上での、映像の再構成による付加価値の高い映像提供を可能とする。以上でこの情報配信システムの概要に関する説明を終える。以下では、この情報配信システムにおける情報配送処理フローを説明する。
【実施例１】
【００４１】
次に、本願情報配信システムの第１の実施例として、上記図１に示した情報配信システムにおける第１の情報配信処理フローを詳細に説明する。まず、基本録画・接続・転送処理フローを図２に従い、必要に応じて図１、図８、図９を参照しながら、詳細に説明する。
【００４２】
図２は、本情報配信システムを構成するシステムおよび事業者間で受け渡される情報の流れを、処理手順に従い時間軸上に沿って示したものである。図８は、図１に示した本願情報配信システムのうち、映像編集用メタ情報提供事業者１２０の所有するシステムの詳細構成を示したものである。
【００４３】
まず、第１のフェーズとして、通信サービス契約者１５０は、放送映像録画視聴システム１５８を用いて、放送映像を録画する（番組録画フェーズ２０１）。具体的な処理ステップとしては、放送事業者１１０は、放送映像送信システム１１２とアンテナ１１３を用いて、映像を放送する（ステップ２０２）。放送された映像は、アンテナ１５９を経由して、通信サービス契約者１５０の放送映像録画視聴システム１５８に受信され、録画される（ステップ２０３）。
【００４４】
次に、第２のフェーズとして、通信サービス契約者１５０は、移動通信端末システム１５１を用いて、本映像配送システムへの接続を実施する（移動通信端末接続フェーズ２０４）。具体的な処理ステップとしては、移動通信端末システム１５１は、映像編集用メタ情報提供事業者１２０の通信事業者間連携システム１２１に対して、接続要求を送信する（ステップ２０５）。当該接続要求は、無線通信ネットワーク１７３、移動通信基地局システム１３５、データパス１３４、データパス１３２、ゲートウェイシステム１３１、データパス１６４、広域ネットワーク１６０、データパス１６３を経由して転送され、映像編集用メタ情報提供事業者１２０の通信事業者間連携システム１２１に受信される（ステップ２０６）。当該接続要求を受信した通信事業者間連携システム１２１は、移動・固定通信端末認証処理８０１を起動して、端末認証を実施する（ステップ２０７）。
【００４５】
移動・固定通信端末認証処理８０１は、上記接続要求に含まれる移動通信事業者識別番号８０６と移動通信端末識別番号８０７をキーとして、通信事業者間連携システム１２１内の通信サービスメタ情報管理テーブル８０４を検索し、該テーブルに格納されている契約者メタ情報８１０の一部である移動通信端末システム認証情報を得て、該認証情報を用いて上記移動通信端末システムを認証する。上記認証情報は、公開鍵証明書を始め、従来提案されている種々の方法を適用可能であり、本願では特にこれ以上言及しない。
【００４６】
上記認証処理が終了すると、通信事業者間連携システム１２１は、移動通信端末１５１に対して、上記接続要求の応答として上記認証結果を送信する（ステップ７０８）。当該送信された応答は、データパス１６３、広域ネットワーク１６０、データパス１６４、データパス１３２、データパス１３４、移動通信基地局システム１３５、無線通信ネットワーク１７３を経由して移動通信端末システム１５１に受信されて（ステップ２０９）、接続の可否が表示される（ステップ２１０）。
【００４７】
接続が成功すると、第３のフェーズとして、通信サービス契約者１５０は、移動通信端末システム１５１を用いて、録画番組の一覧表示を要求する（録画番組一覧表示フェーズ２１１）。具体的な処理ステップとしては、移動通信端末システム１５１は、映像編集用メタ情報提供事業者１２０の通信事業者間連携システム１２１に対して、録画番組一覧要求を送信する（ステップ２１２）。当該録画映像一覧要求は、無線通信ネットワーク１７３、移動通信基地局システム１３５、データパス１３４、データパス１３２、ゲートウェイシステム１３１、データパス１６４、広域ネットワーク１６０、データパス１６３を経由して転送され、映像編集用メタ情報提供事業者１２０の通信事業者間連携システム１２１に受信される（ステップ２１３）。当該録画映像一覧要求を受信した通信事業者間連携システム１２１は、移動通信端末中継処理８０３を起動する。移動通信端末中継処理８０３は、上記録画映像一覧要求に含まれる移動通信事業者識別番号８０６と移動通信端末識別番号８０７をキーとして、通信事業者間連携システム１２１内の通信サービスメタ情報管理テーブル８０４を検索し、該テーブルに格納されている接続先固定通信事業者識別番号８０８と接続先固定通信端末識別番号を得る。そして、移動通信端末中継処理８０３は、上記録画映像一覧要求の送信先として上記検索結果である２つの識別番号を設定し、固定通信端末システム１５２に向けて当該録画映像一覧要求を送信する（ステップ２１４）。当該送信された要求は、データパス１６３、広域ネットワーク１６０、データパス１６５、ゲートウェイ１４１、データパス１４２、データパス１４４、固定通信基地局システム１４５、データパス１８１、固定通信ネットワーク１８０、データパス１８２を経由して、固定通信端末システム１５２に受信される。当該要求を受信した固定通信端末システム１５２は、上記放送映像録画視聴システム１５８に対して録画映像一覧要求を別プロトコルとして送信し、該要求はデータパス１５５、データパス１５７を経由して放送映像録画視聴システム１５８に受信される（ステップ２１５）。当該要求を受信した放送映像録画視聴システム１５８は、録画映像メタ情報管理テーブル９０２を参照して、録画映像の番組名９０３と放映日時９０４等のメタ情報を読み出す。次に放送映像録画視聴システム１５８は、上記別プロトコルとして送信された録画映像一覧要求への応答として、上記読み出した録画映像メタ情報を送信する（ステップ２１６）。データパス１５７、データパス１５５を経由して当該応答を受信した固定通信端末システム１５２は、通信事業者間連携システム１２１に対して、上記録画映像一覧要求の応答として、上記受信した録画映像メタ情報を送信する。当該録画映像一覧応答は、データパス１８２、固定通信ネットワーク１８０、データパス１８１、固定通信基地局システム１４５、データパス１４４、データパス１４２、ゲートウェイシステム１４１、データパス１６５、広域ネットワーク１６０、データパス１６３を経由して転送され、映像編集用メタ情報提供事業者１２０の通信事業者間連携システム１２１に受信される（ステップ２１７）。当該録画映像一覧応答を受信した通信事業者間連携システム１２１は、移動通信端末中継処理８０３を用いて、通信サービス契約者１５０の移動通信端末システム１５１に対して、当該録画映像一覧応答を送信する（ステップ２１８）。当該送信された応答は、データパス１６３、広域ネットワーク１６０、データパス１６４、ゲートウェイ１３１、データパス１３２、データパス１３４、移動通信基地局システム１３５、移動通信ネットワーク１７３を経由して移動通信端末システム１５１に受信されて（ステップ２１９）、録画番組一覧として表示される（ステップ２２０）。
【００４８】
次に、第４のフェーズとして、通信サービス契約者は、上記表示された番組一覧から、転送対象の番組を選択する（ステップ２２４）。
【００４９】
一方、第５のフェーズとして、上記移動通信端末接続要求を受信した通信事業者間連携システム１２１は、映像転送回線開設処理８０２を用いて、移動通信事業者１３０と固定通信事業者１４０との間で、専用ネットワーク１７０を介したデータ転送回線を開設する（映像転送回線開設フェーズ２２１）。ここで、当該専用ネットワークとは、必ずしも専用線を用いたネットワークである必要は無く、例えば公衆網内に開設された仮想プライベートネットワークであってもかまわない。具体的な処理ステップとしては、通信事業者間連携システム１２１は、移動通信側映像転送システム１３３と、固定通信側映像転送システム１４３に、映像転送回線開設要求を送信する（ステップ２２２）。該要求を受信した２つの映像転送システムは、専用ネットワーク１７０を介して、通信回線１７１、１７２を開設する（ステップ２２３）。
【００５０】
次に、第６のフェーズとして、通信サービス契約者１５０は、上記第４のフェーズで選択した番組映像を、上記第５のフェーズで開設した映像転送回線を用いて、放送録画視聴システム１５８から移動通信端末システム１５１に転送するように要求する（録画番組映像転送フェーズ２２５）。
具体的な処理ステップとしては、移動通信端末システム１５１は、映像編集用メタ情報提供事業者１２０の通信事業者間連携システム１２１に対して、録画映像転送要求を送信する（ステップ２２６）。当該録画映像転送要求は、無線通信ネットワーク１７３、移動通信基地局システム１３５、データパス１３４、データパス１３２、ゲートウェイシステム１３１、データパス１６４、広域ネットワーク１６０、データパス１６３を経由して転送され、映像編集用メタ情報提供事業者１２０の通信事業者間連携システム１２１に受信される（ステップ２２７）。当該録画映像転送要求を受信した通信事業者間連携システム１２１は、移動通信端末中継処理８０３を起動する。移動通信端末中継処理８０３は、上記録画映像転送要求に含まれる移動通信事業者識別番号８０６と移動通信端末識別番号８０７をキーとして、通信事業者間連携システム１２１内の通信サービスメタ情報管理テーブル８０４を検索し、該テーブルに格納されている接続先固定通信事業者識別番号８０８と接続先固定通信端末識別番号を得る。そして、移動通信端末中継処理８０３は、上記録画映像転送要求の送信先として上記検索結果である２つの識別番号を設定し、固定通信端末システム１５２に向けて当該録画映像転送要求を送信する（ステップ２２８）。
【００５１】
当該送信された要求は、データパス１６３、広域ネットワーク１６０、データパス１６５、ゲートウェイ１４１、データパス１４２、データパス１４４、固定通信基地局システム１４５、データパス１８１、固定通信ネットワーク１８０、データパス１８２を経由して、固定通信端末システム１５２に受信される。当該要求を受信した固定通信端末システム１５２は、上記放送映像録画視聴システム１５８に対して録画映像一覧要求を別プロトコルとして送信し、該要求はデータパス１５５、データパス１５７を経由して放送映像録画視聴システム１５８に受信される（ステップ２２９）。
【００５２】
当該要求を受信した放送映像録画視聴システム１５８は、録画映像メタ情報管理テーブル９０２を参照して、録画映像のメタ情報の一部である図示されない格納先情報を読み出し、該読み出された格納先情報に基づいて録画映像管理ユニット９０１を参照して、録画映像を読み出す。次に放送映像録画視聴システム１５８は、上記別プロトコルとして送信された録画映像転送要求への応答として、上記読み出した録画映像を送信する（ステップ２３０）。データパス１５７、データパス１５５を経由して当該応答を受信した固定通信端末システム１５２は、固定通信側映像転送システム１４３に対して、上記録画映像転送要求に基づくデータ転送として、上記受信した録画映像を送信する。当該録画映像転送は、データパス１８２、固定通信ネットワーク１８０、データパス１８１、固定通信基地局システム１４５、データパス１４４を経由して、固定通信事業者１４０の固定通信側映像転送システム１４３に受信される（ステップ２３１）。当該録画映像転送を受信した固定通信側映像転送システム１４３は、移動通信事業者１３０の移動通信側映像転送システム１３３に対して、当該受信した録画映像を転送する（ステップ２３２）。移動通信側映像転送システム１３３は、データパス１４２、ゲートウェイシステム１４１、データパス１７２、専用ネットワーク１７０、データパス１７１、ゲートウェイシステム１３１、データパス１３２を介して該転送された録画映像を受信する。該転送された録画映像を受信した移動通信側映像転送システム１３３は、上記録画映像転送要求を送出した移動通信端末システム１５１に対して、上記受信した録画映像を転送する。当該録画映像転送は、データパス１３４、移動通信基地局システム１３５、無線通信ネットワーク１７３を経由して、通信サービス契約者１５０の移動通信端末システム１５１に受信されて（ステップ２３３）、録画映像として表示される。以上で、本願の情報配信システムにおける処理フローのうち、基本録画・接続・転送処理フローの説明を終える。
【００５３】
次に、本願の情報配信システムにおける終了処理フローのうち終了フェーズについて、図２に従い説明する。通信サービス契約者１５０は、移動通信端末システム１５１を用いて、本映像配送システムへの映像転送終了および接続終了を要求する（終了フェーズ３０１）。具体的な処理ステップとしては、移動通信端末システム１５１は、映像編集用メタ情報提供事業者１２０の通信事業者間連携システム１２１に対して、上記終了要求を送信する（ステップ３０２）。当該終了要求は、無線通信ネットワーク１７３、移動通信基地局システム１３５、データパス１３４、データパス１３２、ゲートウェイシステム１３１、データパス１６４、広域ネットワーク１６０、データパス１６３を経由して転送され、映像編集用メタ情報提供事業者１２０の通信事業者間連携システム１２１に受信される（ステップ３０３）。当該終了要求を受信した通信事業者間連携システム１２１は、移動通信端末中継処理８０３を起動する。移動通信端末中継処理８０３は、上記終了要求に含まれる移動通信事業者識別番号８０６と移動通信端末識別番号８０７をキーとして、通信事業者間連携システム１２１内の通信サービスメタ情報管理テーブル８０４を検索し、該テーブルに格納されている接続先固定通信事業者識別番号８０８と接続先固定通信端末識別番号を得る。そして、移動通信端末中継処理８０３は、上記終了要求の送信先として上記検索結果である２つの識別番号を設定し、固定通信端末システム１５２に向けて当該終了要求を送信する（ステップ２１４）。当該送信された要求は、データパス１６３、広域ネットワーク１６０、データパス１６５、ゲートウェイ１４１、データパス１４２、データパス１４４、固定通信基地局システム１４５、データパス１８１、固定通信ネットワーク１８０、データパス１８２を経由して、固定通信端末システム１５２に受信される。当該要求を受信した固定通信端末システム１５２は、上記放送映像録画視聴システム１５８に対して録画映像転送終了要求を別プロトコルとして送信し、該要求はデータパス１５５、データパス１５７を経由して放送映像録画視聴システム１５８に受信される（ステップ３０５）。当該要求を受信した放送映像録画視聴システム１５８は、録画映像の転送を終了する。次に放送映像録画視聴システム１５８は、上記別プロトコルとして送信された録画映像転送終了要求への応答として、転送の終了を送信する（ステップ３０６）。データパス１５７、データパス１５５を経由して当該応答を受信した固定通信端末システム１５２は、通信事業者間連携システム１２１に対して、上記終了要求の応答として、上記受信した転送終了情報を送信する。当該録画映像一覧応答は、データパス１８２、固定通信ネットワーク１８０、データパス１８１、固定通信基地局システム１４５、データパス１４４、データパス１４２、ゲートウェイシステム１４１、データパス１６５、広域ネットワーク１６０、データパス１６３を経由して転送され、映像編集用メタ情報提供事業者１２０の通信事業者間連携システム１２１に受信される（ステップ３０７）。
【００５４】
当該終了応答を受信した通信事業者間連携システム１２１は、映像転送回線切断処理８３５を用いて、移動通信事業者１３０と固定通信事業者１４０との間で、専用ネットワーク１７０を介して開設済みのデータ転送回線を切断する。具体的な処理ステップとしては、通信事業者間連携システム１２１は、移動通信側映像転送システム１３３と、固定通信側映像転送システム１４３に、映像転送回線切断要求を送信する（ステップ３０８）。該要求を受信した２つの映像転送システムは、専用ネットワーク１７０を介した通信回線１７１、１７２を切断する（ステップ３０９）。
【００５５】
最後に、通信事業者間連携システム１２１は、移動通信端末中継処理８０３を用いて、通信サービス契約者１５０の移動通信端末システム１５１に対して、当該終了応答を送信する（ステップ３１０）。当該送信された応答は、データパス１６３、広域ネットワーク１６０、データパス１６４、ゲートウェイ１３１、データパス１３２、データパス１３４、移動通信基地局システム１３５、移動通信ネットワーク１７３を経由して移動通信端末システム１５１に受信されて（ステップ３１１）、終了完了として表示される（ステップ３１２）。
【００５６】
以上で、本願情報配信システムの第１の実施例である情報配信処理フローの説明を終える。
【実施例２】
【００５７】
次に、本願情報配信システムの第２の実施例として、上記図１に示した情報配信システムにおける第２の情報配信処理フローを、詳細に説明する。
【００５８】
本願の第２の実施例である情報配信処理フローを図４に示す。本願第２の実施例の特徴は、移動通信事業者１３０と固定通信事業者１４０の間に、映像転送専用の専用通信回線を必要としない点にある。これに対して成就値の第１の実施例では、移動通信事業者１３０と固定通信事業者１４０との間における専用ネットワーク１７０を介したデータ転送回線を前提としていた。以下、本実施例の情報配信処理フローを図４に従い、必要に応じて図１、図８、図９を参照しながら、詳細に説明する。
【００５９】
本願第２の実施例は、上述の第１の実施例と類似の構成をとる。即ち、図４において、番組録画フェーズ２０１、移動通信端末接続フェーズ２０４、録画番組一覧表示フェーズ２１１，そして転送対象の番組を選択するステップ２２４は、実施例１と同様であり、説明は省略する。第２の実施例が異なる点は、録画番組映像転送フェーズ４２５である。具体的な処理ステップとしては、移動通信端末システム１５１は、映像編集用メタ情報提供事業者１２０の通信事業者間連携システム１２１に対して、録画番組映像転送要求を送信する（ステップ４２６）。当該録画映像転送要求は、無線通信ネットワーク１７３、移動通信基地局システム１３５、データパス１３４、データパス１３２、ゲートウェイシステム１３１、データパス１６４、広域ネットワーク１６０、データパス１６３を経由して転送され、映像編集用メタ情報提供事業者１２０の通信事業者間連携システム１２１に受信される（ステップ４２７）。当該録画映像転送要求を受信した通信事業者間連携システム１２１は、移動通信端末中継処理８０３を起動する。移動通信端末中継処理８０３は、上記録画映像転送要求に含まれる移動通信事業者識別番号８０６と移動通信端末識別番号８０７をキーとして、通信事業者間連携システム１２１内の通信サービスメタ情報管理テーブル８０４を検索し、該テーブルに格納されている接続先固定通信事業者識別番号８０８と接続先固定通信端末識別番号を得る。そして、移動通信端末中継処理８０３は、上記録画映像転送要求の送信先として上記検索結果である２つの識別番号を設定し、固定通信端末システム１５２に向けて当該録画映像転送要求を送信する（ステップ４２８）。
【００６０】
当該送信された要求は、データパス１６３、広域ネットワーク１６０、データパス１６５、ゲートウェイ１４１、データパス１４２、データパス１４４、固定通信基地局システム１４５、データパス１８１、固定通信ネットワーク１８０、データパス１８２を経由して、固定通信端末システム１５２に受信される。当該要求を受信した固定通信端末システム１５２は、上記放送映像録画視聴システム１５８に対して録画映像転送要求を別プロトコルとして送信し、該要求はデータパス１５５、データパス１５７を経由して放送映像録画視聴システム１５８に受信される（ステップ４２９）。当該要求を受信した放送映像録画視聴システム１５８は、録画映像メタ情報管理テーブル９０２を参照して、録画映像のメタ情報の一部である図示されない格納先情報を読み出し、該読み出された格納先情報に基づいて録画映像管理ユニット９０１を参照して、録画映像を読み出す。
【００６１】
次に放送映像録画視聴システム１５８は、上記別プロトコルとして送信された録画映像一覧要求への応答として、上記読み出した録画映像を送信する（ステップ４３０）。データパス１５７、データパス１５５を経由して当該応答を受信した固定通信端末システム１５２は、通信事業者間連携システム１２１に対して、上記録画映像一覧要求の応答として、上記受信した録画映像を送信する。当該録画映像転送応答は、データパス１８２、固定通信ネットワーク１８０、データパス１８１、固定通信基地局システム１４５、データパス１４４、データパス１４２、ゲートウェイシステム１４１、データパス１６５、広域ネットワーク１６０、データパス１６３を経由して転送され、映像編集用メタ情報提供事業者１２０の通信事業者間連携システム１２１に受信される（ステップ４３１）。当該録画映像転送応答を受信した通信事業者間連携システム１２１は、移動通信端末中継処理８０３を用いて、通信サービス契約者１５０の移動通信端末システム１５１に対して、当該録画映像転送応答を送信する（ステップ４３２）。当該送信された応答は、データパス１６３、広域ネットワーク１６０、データパス１６４、ゲートウェイ１３１、データパス１３２、データパス１３４、移動通信基地局システム１３５、移動通信ネットワーク１７３を経由して移動通信端末システム１５１に受信されて（ステップ４３３）、録画映像として表示される。
【００６２】
以上に述べたように、本願の第２の実施例では、移動通信事業者１３０と固定通信事業者１４０との間における専用ネットワーク１７０を介したデータ転送回線を前提としていないため、より簡便に映像転送が実現できる。以上で、本願情報配信システムの第２の実施例である情報配信処理フローの説明を終える。
【実施例３】
【００６３】
次に、本願情報配信システムの第３の実施例として、上記図１に示した情報配信システムにおける第３の情報配信処理フローを詳細に説明する。
【００６４】
本願の第３の実施例である情報配信処理フローを図５に示す。本願第３の実施例の特徴は、転送対象の録画映像を編集処理し、該編集後の映像を転送可能とした点にある。これに対して、上述の第１および第２の実施例では、録画映像を録画状態のまま内容変更なしで転送する機能を提供するに留まっていた。以下、本実施例の情報配信処理フローを図５に従い、必要に応じて図１、図８、図９を参照しながら、詳細に説明する。
【００６５】
まず、第１のフェーズである番組録画フェーズ２０１は、上述の実施例１、２と同一であり説明は省略する。
一方、上記第１のフェーズとは独立に、映像編集用メタ情報提供事業者１２０は、番組放送を分析する（番組分析フェーズ５０１）。具体的な処理ステップとしては、映像編集用メタ情報提供事業者１２０は、放送番組を受信して分析し、そのメタ情報を抽出する（ステップ５０２）。以下では図８に従い、該ステップの処理内容を詳細に説明する。まず、映像編集用メタ情報提供事業者１２０は、アンテナ１２８と放送映像受信システム１２７を用いて、放送事業者１１０の番組放送を受信する。該受信した番組映像はデータパス１２９を介して映像編集用メタ情報提供システム１２３に送付され、同システム内の映像編集用メタ情報作成システム１２６の放送映像管理ユニット８２０に格納される。次に該放送映像管理ユニットに格納された放送映像は分析され、分析結果は放送映像メタ情報管理テーブル８２１に放送映像メタ情報として格納される。
【００６６】
図８では、放送映像メタ情報として、番組名８２２、放送日時８２３、キーワード８２４、番組に付随する広告名８２５が示されているが、メタ情報の内容はこれに限定されるものではない。この他に、ニュース番組であれば各記事の開始時間／終了時間あるいは開始位置／終了位置もメタ情報の候補となる。また、ニュース番組における各記事の重要度もメタ情報の候補である。以上をまとめると、放送映像メタ情報管理テーブル８２１には、後述する録画映像の編集に使用するための種種のメタ情報が格納される。また、当該メタ情報は、上記受信した番組映像から、人手で分析され、あるいは自動的に分析抽出されて、上記放送映像メタ情報管理テーブル８２１に格納される。この他に、放送事業者１１０が保有する放送映像メタ情報提供システム１１１が管理し提供するメタ情報が、映像放送に付随して転送されて、あるいは放送広域ネットワーク１６０を介して転送されて、映像編集用メタ情報提供事業者が取得し、上記放送映像メタ情報管理テーブル８２１格納される場合もある。上述のように、本フェーズを実行することで、映像編集用メタ情報提供事業者１２０は、あらゆる放送映像のメタ情報を把握し、後述の契約者からの要望にこたえて、当該メタ情報から映像編集用メタ情報を作成して提供する用意ができたことになる。
【００６７】
次の接続処理フェーズは、上述の第１、第２の実施例と同様であり、説明は省略する。
次に、通信サービス契約者１５０は、移動通信端末システム１５１を用いて、録画番組の一覧表示を要求する（録画番組一覧表示フェーズ５１１）。本願第３の実施例の特徴は、放送映像録画視聴システム１５０が提供する録画番組一覧情報の各々について、映像編集用メタ情報提供事業者１２０が提供可能な編集形態をオプションとして付随させ表示できる点にある。例えば、録画番組一覧の一つの項目として「サッカートーナメント  日本対アルゼンチン戦」がある場合に、編集形態を付随させた項目として「サッカートーナメント  日本対アルゼンチン戦  ダイジェスト１分版」、あるいは「サッカートーナメント  日本対アルゼンチン戦  ダイジェスト３分版」、さらに「サッカートーナメント  日本対アルゼンチン戦  日本ゴールシーン版」など、映像編集用メタ情報提供事業者１２０が提供可能な様々な編集形態が、上記一覧表示にオプションとして添付され表示される。
【００６８】
具体的な処理ステップとして、上記映像編集オプション付き録画情報一覧表示フェーズ５１１について説明する。まず移動通信端末システム１５１は、映像編集用メタ情報提供事業者１２０の通信事業者間連携システム１２１に対して、映像編集オプション付き録画番組一覧要求を送信する（ステップ５１２）。当該オプション付き録画映像一覧要求は、無線通信ネットワーク１７３、移動通信基地局システム１３５、データパス１３４、データパス１３２、ゲートウェイシステム１３１、データパス１６４、広域ネットワーク１６０、データパス１６３を経由して転送され、映像編集用メタ情報提供事業者１２０の通信事業者間連携システム１２１に受信される（ステップ５１３）。当該オプション付き録画映像一覧要求を受信した通信事業者間連携システム１２１は、移動通信端末中継処理８０３を起動する。移動通信端末中継処理８０３は、上記録画映像一覧要求に含まれる移動通信事業者識別番号８０６と移動通信端末識別番号８０７をキーとして、通信事業者間連携システム１２１内の通信サービスメタ情報管理テーブル８０４を検索し、該テーブルに格納されている接続先固定通信事業者識別番号８０８と接続先固定通信端末識別番号を得る。そして、移動通信端末中継処理８０３は、上記録画映像一覧要求の送信先として上記検索結果である２つの識別番号を設定し、固定通信端末システム１５２に向けて当該録画映像一覧要求を送信する（ステップ５１４）。当該送信された要求は、データパス１６３、広域ネットワーク１６０、データパス１６５、ゲートウェイ１４１、データパス１４２、データパス１４４、固定通信基地局システム１４５、データパス１８１、固定通信ネットワーク１８０、データパス１８２を経由して、固定通信端末システム１５２に受信される。当該要求を受信した固定通信端末システム１５２は、上記放送映像録画視聴システム１５８に対して録画映像一覧要求を別プロトコルとして送信し、該要求はデータパス１５５、データパス１５７を経由して放送映像録画視聴システム１５８に受信される（ステップ５１５）。当該要求を受信した放送映像録画視聴システム１５８は、録画映像メタ情報管理テーブル９０２を参照して、録画映像の番組名９０３と放映日時９０４等の録画映像メタ情報を読み出す。次に放送映像録画視聴システム１５８は、上記別プロトコルとして送信された録画映像一覧要求への応答として、上記読み出した録画映像メタ情報を送信する（ステップ５１６）。データパス１５７、データパス１５５を経由して当該応答を受信した固定通信端末システム１５２は、通信事業者間連携システム１２１に対して、上記録画映像一覧要求の応答として、上記受信した録画映像メタ情報を送信する。当該録画映像一覧応答は、データパス１８２、固定通信ネットワーク１８０、データパス１８１、固定通信基地局システム１４５、データパス１４４、データパス１４２、ゲートウェイシステム１４１、データパス１６５、広域ネットワーク１６０、データパス１６３を経由して転送され、映像編集用メタ情報提供事業者１２０の通信事業者間連携システム１２１に受信される（ステップ５１７）。当該録画映像一覧応答を受信した通信事業者間連携システム１２１は、映像編集用メタ情報作成処理８２７を起動する。映像編集用メタ情報作成処理８２７は、上記録画映像一覧応答に含まれる番組一覧の各番組名をキーとして、放送映像メタ情報管理テーブル８２１および映像編集用メタ情報管理テーブル８２８を検索し、当該検索結果を用いて上記各種の映像編集用データを作成する（ステップ５４０）。
【００６９】
該作成された映像編集データの作成方法おうおび表現形式は種々想定される。一例としては、映像編集用メタ情報管理テーブル８２８は、下記のレコードを格納しているとする。
（契約者名、番組名、
視聴開始位置、視聴終了位置、視聴回数、コメント）
＝｛（映像編集用メタ情報提供事業者、“サッカートーナメント決勝”、
00:20:00、00:23:00、−、“日本１点目を得点”）、  ・・・（１）
（映像編集用メタ情報提供事業者、“サッカートーナメント決勝”、
00:40:00、00:43:00、−、“日本２点目を得点”）、  ・・・（２）
（契約者Ａ、“サッカートーナメント決勝”、
00:10:00、00:30:00、1、“−”）、            ・・・（３）
（契約者Ｂ、“サッカートーナメント決勝”、
00:15:00、00:25:00、2、“−”）｝            ・・・（４）
上記第1レコード（１）は、映像編集用メタ情報提供事業者１２０が作成した映像編集用メタ情報であり、番組名「サッカートーナメント決勝  日本対アルゼンチン戦」で、映像位置の２０分から２３分の区間に、日本の１点目の得点シーンが存在することを記述している。また、第２レコード（２）は、映像編集用メタ情報提供事業者１２０が作成した映像編集用メタ情報であり、番組名「サッカートーナメント決勝  日本対アルゼンチン戦」で、映像位置の４０分から４３分の区間に、日本の２点目の得点シーンが存在することを記述している。また、後述するが、第３レコード（３）は、契約者Ａから提供された映像編集用メタ情報であり、番組名「サッカートーナメント決勝  日本対アルゼンチン戦」で、映像位置の１０分から３０分の区間を、１回視聴したことを示している。
【００７０】
上記仮定のもとで、映像編集用メタ情報を作成する。映像編集用メタ情報の表現形式は、
（シーケンス番号、録画映像名、再生開始時間、再生終了時間）
なるデータ対のレコードの集合として表現されると考える。この形式に従うと、「サッカートーナメント決勝  日本対アルゼンチン戦  日本ゴール集」の映像編集用メタ情報は、上記映像編集用メタ情報管理テーブル８２８のレコード（１）と（２）を用いて、
（シーケンス番号、録画映像名、再生開始時間、再生終了時間）＝
｛（１、“サッカートーナメント決勝”、00:20:00、00:23:00、“日本１点目”）、
（２、“サッカートーナメント決勝”、00:40:00、00:43:00、“日本２点目”）｝
として作成される。
【００７１】
処理フローの説明に戻る。上記録画映像のオプションとして用意する番組メタ情報検索と映像編集用メタ情報の作成が終了すると、通信事業者間連携システム１２１は、移動通信端末中継処理８０３を用いて、通信サービス契約者１５０の移動通信端末システム１５１に対して、上記オプション付き録画映像一覧要求に対する応答を送信する（ステップ５１８）。当該送信されたオプション付き録画映像一覧応答は、データパス１６３、広域ネットワーク１６０、データパス１６４、ゲートウェイ１３１、データパス１３２、データパス１３４、移動通信基地局システム１３５、移動通信ネットワーク１７３を経由して移動通信端末システム１５１に受信されて（ステップ５１９）、録画番組一覧として表示される（ステップ５２０）。
【００７２】
次の番組選択ステップ２２４と、映像転送回線開設処理フェーズ２２１は、上述の第１の実施例と同様であり、説明は省略する。
【００７３】
次に、通信サービス契約者１５０は、上記番組選択ステップ２２４で選択した映像編集オプション付き番組映像を、上記映像転送回線開設処理フェーズ２２１で開設した映像転送回線を用いて、放送録画視聴システム１５８から移動通信端末システム１５１に転送するように要求する（映像編集オプション付き録画番組映像転送フェーズ５２５）。
【００７４】
具体的な処理ステップとしては、移動通信端末システム１５１は、映像編集用メタ情報提供事業者１２０の通信事業者間連携システム１２１に対して、映像編集オプション付き録画映像転送要求を送信する（ステップ５２６）。当該映像編集オプション付き録画映像転送要求は、無線通信ネットワーク１７３、移動通信基地局システム１３５、データパス１３４、データパス１３２、ゲートウェイシステム１３１、データパス１６４、広域ネットワーク１６０、データパス１６３を経由して転送され、映像編集用メタ情報提供事業者１２０の通信事業者間連携システム１２１に受信される（ステップ５２７）。当該映像編集オプション付き録画映像転送要求を受信した通信事業者間連携システム１２１は、移動通信端末中継処理８０３を起動する。移動通信端末中継処理８０３は、上記録画映像転送要求に含まれる移動通信事業者識別番号８０６と移動通信端末識別番号８０７をキーとして、通信事業者間連携システム１２１内の通信サービスメタ情報管理テーブル８０４を検索し、該テーブルに格納されている接続先固定通信事業者識別番号８０８と接続先固定通信端末識別番号を得る。そして、移動通信端末中継処理８０３は、上記録画映像転送要求の送信先として上記検索結果である２つの識別番号を設定し、さらに転送対象の映像情報に関して上記作成済みの映像編集用メタ情報を付随させた映像編集用メタ情報付き録画映像転送要求を、固定通信端末システム１５２に向けて送信する（ステップ５２８）。当該送信された要求は、データパス１６３、広域ネットワーク１６０、データパス１６５、ゲートウェイ１４１、データパス１４２、データパス１４４、固定通信基地局システム１４５、データパス１８１、固定通信ネットワーク１８０、データパス１８２を経由して、固定通信端末システム１５２に受信される。
【００７５】
当該映像編集用メタ情報付き録画映像転送要求を受信した固定通信端末システム１５２は、まず、上記放送映像録画視聴システム１５８に対して録画映像転送要求を別プロトコルとして送信し、該要求はデータパス１５５、データパス１５７を経由して放送映像録画視聴システム１５８に受信される（ステップ５２９）。当該要求を受信した放送映像録画視聴システム１５８は、録画映像メタ情報管理テーブル９０２を参照して、録画映像のメタ情報の一部である図示されない格納先情報を読み出し、該読み出された格納先情報に基づいて録画映像管理ユニット９０１を参照して、録画映像を読み出す。次に放送映像録画視聴システム１５８は、上記読み出した録画映像を映像編集システム１５６に転送する。
上記と並行して、上記映像編集用メタ情報付き録画映像転送要求を受信した固定通信端末システム１５２は、当該要求に含まれる映像編集用メタ情報を映像編集システム１５６に送信する。
【００７６】
上記映像編集システム１５６から上記録画映像を受信し、上記固定通信端末システム１５２から上記映像編集用メタ情報を受信した映像編集システムは、該映像編集用メタ情報を用いて該録画映像を編集する。この編集処理により、上記「サッカートーナメント決勝  日本対アルゼンチン戦」の録画情報から、上記「サッカートーナメント決勝  日本対アルゼンチン戦  日本ゴール集」が編集作成される。
【００７７】
最後に映像編集システム１５６は、上記別プロトコルとして送信された録画映像転送要求への応答として、上記編集処理後の録画映像を上記固定通信端末システム１５２に送信する（ステップ５３０）。データパス１５７、データパス１５５を経由して当該応答を受信した固定通信端末システム１５２は、固定通信側映像転送システム１４３に対して、上記映像編集用メタ情報付き録画映像転送要求に基づくデータ転送として、上記受信した編集処理後の録画映像を送信する。当該編集処理後の録画映像転送は、データパス１８２、固定通信ネットワーク１８０、データパス１８１、固定通信基地局システム１４５、データパス１４４を経由して、固定通信事業者１４０の固定通信側映像転送システム１４３に受信される（ステップ５３１）。当該編集処理後の録画映像転送を受信した固定通信側映像転送システム１４３は、移動通信事業者１３０の移動通信側映像転送システム１３３に対して、当該受信した編集処理後の録画映像を転送する（ステップ５３２）。移動通信側映像転送システム１３３は、データパス１４２、ゲートウェイシステム１４１、データパス１７２、専用ネットワーク１７０、データパス１７１、ゲートウェイシステム１３１、データパス１３２を介して該転送された編集処理後の録画映像を受信する。該転送された編集処理後の録画映像を受信した移動通信側映像転送システム１３３は、上記映像編集オプション付き録画映像転送要求を送出した移動通信端末システム１５１に対して、上記受信した編集処理後の録画映像を転送する。当該映像編集オプション付き録画映像転送は、データパス１３４、移動通信基地局システム１３５、無線通信ネットワーク１７３を経由して、通信サービス契約者１５０の移動通信端末システム１５１に受信されて（ステップ６３３）、上記編集処理後の録画映像として表示される。
【００７８】
上述の録画番組一覧表示フェーズ５１１では、映像編集用メタ情報を映像編集用メタ情報管理テーブルのレコードのみを用いて作成していた。以下では、別方法として、映像に付随している広告を利用者の属性に応じて適切な内容に差し替えて提供することを可能とする映像編集用メタ情報の作成方法を説明する。
【００７９】
映像編集用メタ情報作成処理８２７は、映像編集用メタ情報の作成に当たり、まず該録画映像転送要求を送出した通信サービス契約者のメタ情報を、上記通信サービス契約者メタ情報管理テーブル８０４から読み出す。次に映像編集用メタ情報作成処理８２７は、該転送を要求された録画映像に対応する放送映像の放送映像メタ情報管理テーブル８２１から、上記放送映像に含まれる広告映像のメタ情報を読み出す。次に、映像編集用メタ情報作成処理８２７は、該読み出した広告映像のメタ情報と、上記読み出した通信サービス契約者のメタ情報とが適切な組合せにあるか否かをメタ情報組合せ判定処理８２６で判定する。例えば、上記放送映像に含まれる広告映像がＡ飲料メーカのビールの広告であり、一方上記録画映像転送要求を送出した通信サービス契約者が未成年であったとすると、メタ情報組合せ判定処理８２６は、組合せ結果は不適切であると判定し、別途用意された図示されない広告映像メタ情報管理システム内の清涼飲料水の広告に差し替えて、上記映像編集用メタ情報を作成する。さらに、上記広告映像のメタ情報を含む映像編集用芽情報を提供したことに基づいて、契約者には広告映像の視聴を事由とする対価（例えば、契約者はこの対価を本システム利用費用の支払いに充当可能であるかもしれない）を付与し、逆に広告元には広告提示による広告費を請求する広告費用算定処理８３４を実施する。このように、本願では、サービス契約者や録画映像、広告映像のメタ情報を管理し、組合せて用いることで、より付加価値の高いサービス提供を可能としている。
【００８０】
上述のように、本願第３の実施例は、転送対象の録画映像に関する映像編集用メタ情報の作成・提供と、該メタ情報に基づく映像編集処理を独立化することで、著作権映像使用料の負担を増すことなく、種々の映像編集結果の転送提供を可能とした  点にある。  以上で、本願第３の実施例の情報配信システムにおける基本録画・接続・転送処理フローの説明を終える。
【実施例４】
【００８１】
次に、本願情報配信システムの第４の実施例として、上記図１に示した情報配信システムにおける第４の情報配信処理フローを詳細に説明する。
【００８２】
本願の第４の実施例である情報配信処理フローを図６に示す。本願第４の実施例の特徴は、転送対象の録画映像に関連するネット情報を検索し、該検索結果のネット情報を付随させた映像転送を可能とした点にある。これに対して、上述の第１、第２および第３の実施例では、録画映像を映像単体として転送する機能を提供するに留まっていた。以下、本実施例の情報配信処理フローを図６に従い、必要に応じて図１、図８、図９を参照しながら、詳細に説明する。
【００８３】
まず、第１のフェーズである番組録画フェーズ２０１と番組分析フェーズ５０１、そして接続処理フェーズ２０４は、上述の実施例３と同一であり説明は省略する。
【００８４】
次に、通信サービス契約者１５０は、移動通信端末システム１５１を用いて、録画番組の一覧表示を要求する（録画番組一覧表示フェーズ５１１）。本願第４の実施例の特徴は、放送映像録画視聴システム１５０が提供する録画番組一覧情報の各々について、映像編集用メタ情報提供事業者１２０が提供可能な関連情報項目をオプションとして付随させ表示できる点にある。例えば、録画番組一覧の一つの項目として「サッカートーナメント決勝戦  日本対アルゼンチン戦」がある場合に、関連情報項目を付随させた項目として「サッカートーナメント決勝戦  日本対アルゼンチン戦  およびサッカー連盟公式ホームページ」、あるいは「サッカートーナメント決勝戦  日本対アルゼンチン戦  およびサッカートーナメント主催者公式ホームページ」など、映像編集用メタ情報提供事業者１２０が提供可能な様々な関連ネット情報あるいは該ネット情報のアドレス情報が、上記一覧表示にオプションとして添付され表示される。
具体的な処理ステップとして、関連情報提示オプション付き録画情報一覧表示フェーズ６１１について説明する。まず移動通信端末システム１５１は、映像編集用メタ情報提供事業者１２０の通信事業者間連携システム１２１に対して、関連情報提示オプション付き録画番組一覧要求を送信する（ステップ６１２）。当該オプション付き録画映像一覧要求は、無線通信ネットワーク１７３、移動通信基地局システム１３５、データパス１３４、データパス１３２、ゲートウェイシステム１３１、データパス１６４、広域ネットワーク１６０、データパス１６３を経由して転送され、映像編集用メタ情報提供事業者１２０の通信事業者間連携システム１２１に受信される（ステップ６１３）。当該オプション付き録画映像一覧要求を受信した通信事業者間連携システム１２１は、移動通信端末中継処理８０３を起動する。
【００８５】
移動通信端末中継処理８０３は、上記録画映像一覧要求に含まれる移動通信事業者識別番号８０６と移動通信端末識別番号８０７をキーとして、通信事業者間連携システム１２１内の通信サービスメタ情報管理テーブル８０４を検索し、該テーブルに格納されている接続先固定通信事業者識別番号８０８と接続先固定通信端末識別番号を得る。そして、移動通信端末中継処理８０３は、上記録画映像一覧要求の送信先として上記検索結果である２つの識別番号を設定し、固定通信端末システム１５２に向けて当該録画映像一覧要求を送信する（ステップ６１４）。当該送信された要求は、データパス１６３、広域ネットワーク１６０、データパス１６５、ゲートウェイ１４１、データパス１４２、データパス１４４、固定通信基地局システム１４５、データパス１８１、固定通信ネットワーク１８０、データパス１８２を経由して、固定通信端末システム１５２に受信される。当該要求を受信した固定通信端末システム１５２は、上記放送映像録画視聴システム１５８に対して録画映像一覧要求を別プロトコルとして送信し、該要求はデータパス１５５、データパス１５７を経由して放送映像録画視聴システム１５８に受信される（ステップ６１５）。当該要求を受信した放送映像録画視聴システム１５８は、録画映像メタ情報管理テーブル９０２を参照して、録画映像の番組名９０３と放映日時９０４等のメタ情報を読み出す。次に放送映像録画視聴システム１５８は、上記別プロトコルとして送信された録画映像一覧要求への応答として、上記読み出した録画映像メタ情報を送信する（ステップ６１６）。データパス１５７、データパス１５５を経由して当該応答を受信した固定通信端末システム１５２は、通信事業者間連携システム１２１に対して、上記録画映像一覧要求の応答として、上記受信した録画映像メタ情報を送信する。当該録画映像一覧応答は、データパス１８２、固定通信ネットワーク１８０、データパス１８１、固定通信基地局システム１４５、データパス１４４、データパス１４２、ゲートウェイシステム１４１、データパス１６５、広域ネットワーク１６０、データパス１６３を経由して転送され、映像編集用メタ情報提供事業者１２０の通信事業者間連携システム１２１に受信される（ステップ６１７）。当該録画映像一覧応答を受信した通信事業者間連携システム１２１は、映像編集用メタ情報作成処理８２７を起動する。映像編集用メタ情報作成処理８２７は、上記録画映像一覧応答に含まれる番組一覧の各番組名をキーとして、放送映像メタ情報管理テーブル８２１を検索する（ステップ６４０）。さらに映像編集用メタ情報作成処理８２７は、当該検索結果を用いて、ネット情報検索分析システム１２４のネット情報検索処理８１１を起動し、関連情報検索とメタデータ編集を実行する（ステップ６５０）。
【００８６】
具体的には、ネット情報検索処理８１１は、ネット情報提供システム１０１にアクセスして（ステップ６５１）、アクセス結果情報を、ネット情報メタ情報管理テーブル８１２と、ネット情報関連情報管理テーブル８１６に格納する。
【００８７】
まず、ネット情報メタ情報管理テーブル８１２について説明する。本テーブルは、ネット上のネット情報提供システムが提供する関連情報について、その関連情報名８１３とアドレス８１４（例えばＵＲＬ：Ｕｎｉｖｅｒｓａｌ  Ｒｅｓｏｕｒｃｅ  Ｌｏｃａｔｏｒ）、そしてキーワード８１５（当該関連情報内に含まれるキーワード）などのメタ情報を格納している。もちろん、上記のメタ情報は一例であり、この他のメタ情報も格納されてよい。
【００８８】
次に、ネット情報関連情報管理テーブル８１６について説明する。本テーブルは、映像編集用メタ情報作成システム１２６内の放送映像メタ情報管理テーブル８２１が格納管理する放送映像と、上記ネット情報メタ情報管理テーブル８１２が格納管理するネット情報の関連を管理している。即ち、ネット情報関連情報管理テーブル８１６の関連情報名８１７は、上記ネット情報の情報名を指しており、上記ネット情報メタ情報管理テーブル８１２の関連情報名８１３と等価の情報項目である。次に、ネット情報関連情報管理テーブル８１６の番組名８１８は、上記放送映像の番組名を指しており、上記放送映像メタ情報管理テーブル８２１の番組名８２２と等価の情報項目である。さらに、ネット情報関連情報管理テーブル８１６のキーワード８１９は、上記ネット情報と上記放送映像の関連付けがどのキーワード（あるいは概念）に基づいてなされたかを示しており、上記ネット情報メタ情報管理テーブル８１２のキーワード８１５と放送映像メタ情報管理テーブル８２１のキーワード８２４のうちから一致するものが選択されて格納される。
【００８９】
上記テーブルの一例を下記に示す。まず、放送映像メタ情報管理テーブル８２１の一例は下記のとおりとなる。
（番組名、放送日時、キーワード、広告名）
＝（“サッカートーナメント決勝戦”、2006/07/20、
“サッカー、トーナメント、日本、アルゼンチン”、“ＡＢＣ製作所”）
次に、ネット情報メタ情報管理テーブル８１２の一例は下記のとおりとなる。
【００９０】
（関連情報名、アドレス、キーワード）
＝（“サッカートーナメント主催者公式ホームページ”、“http://www.ｆｆｆｆ.com”、
“サッカー、トーナメント、ワールドユースチャンピオンシップ”）
そして、上記２つの情報を関連付けるネット情報関連情報管理テーブル８１６の一例は下記のとおりとなる。
【００９１】
（関連情報名、番組名、キーワード）
＝（“サッカートーナメント主催者公式ホームページ”、“サッカートーナメント決勝戦”、
“サッカー、トーナメント”）
ネット情報検索処理８１１は、上記検索収集した情報結果に基づいて、上記各種の関連情報オプション付き映像一覧と関連情報提示用メタ情報を作成する（ステップ６５０）。該作成された関連情報提示用メタ情報の内容は種々想定されるが、例えば、（録画映像名、シーケンス番号、関連情報名、キーワード）の集合として与える形式が考えられる。この形式に従うと、「サッカートーナメント決勝  日本対アルゼンチン戦」の関連情報提示用メタ情報は、
（“サッカートーナメント決勝”、1、“http://www.ffff.com”、
“サッカー、トーナメント”）
として記述されることになる。
【００９２】
処理フローの説明に戻る。上記録画映像のオプションとして用意する関連情報提示用メタ情報検索と関連情報提示用メタ情報の編集が終了すると、通信事業者間連携システム１２１は、移動通信端末中継処理８０３を用いて、通信サービス契約者１５０の移動通信端末システム１５１に対して、上記関連情報提示オプション付き録画番組一覧要求に対する応答を送信する（ステップ６１８）。当該送信されたオプション付き録画映像一覧応答は、データパス１６３、広域ネットワーク１６０、データパス１６４、ゲートウェイ１３１、データパス１３２、データパス１３４、移動通信基地局システム１３５、移動通信ネットワーク１７３を経由して移動通信端末システム１５１に受信されて（ステップ５１９）、関連情報提示オプション付き録画番組一覧として表示される（ステップ６２０）。
【００９３】
次の番組選択ステップ２２４と、映像転送回線開設処理フェーズ２２１は、上述の第１の実施例と同様であり、説明は省略する。
【００９４】
次に、通信サービス契約者１５０は、上記番組選択ステップ２２４で選択した関連情報提示オプション付き番組映像を、上記映像転送回線開設処理フェーズ２２１で開設した映像転送回線を用いて、放送録画視聴システム１５８から移動通信端末システム１５１に転送するように要求する（関連情報提示オプション付き録画番組映像転送フェーズ６２５）。
【００９５】
具体的な処理ステップとしては、移動通信端末システム１５１は、映像編集用メタ情報提供事業者１２０の通信事業者間連携システム１２１に対して、関連情報提示オプション付き録画映像転送要求を送信する（ステップ６２６）。当該オプション付き録画映像転送要求は、無線通信ネットワーク１７３、移動通信基地局システム１３５、データパス１３４、データパス１３２、ゲートウェイシステム１３１、データパス１６４、広域ネットワーク１６０、データパス１６３を経由して転送され、映像編集用メタ情報提供事業者１２０の通信事業者間連携システム１２１に受信される（ステップ６２７）。当該オプション付き録画映像転送要求を受信した通信事業者間連携システム１２１は、移動通信端末中継処理８０３を起動する。移動通信端末中継処理８０３は、上記録画映像転送要求に含まれる移動通信事業者識別番号８０６と移動通信端末識別番号８０７をキーとして、通信事業者間連携システム１２１内の通信サービスメタ情報管理テーブル８０４を検索し、該テーブルに格納されている接続先固定通信事業者識別番号８０８と接続先固定通信端末識別番号を得る。そして、移動通信端末中継処理８０３は、上記録画映像転送要求の送信先として上記検索結果である２つの識別番号を設定し、さらに転送対象の映像情報に関して上記作成済みの関連情報提示用メタ情報付き録画映像転送要求を、固定通信端末システム１５２に向けて送信する（ステップ６２８）。当該送信された要求は、データパス１６３、広域ネットワーク１６０、データパス１６５、ゲートウェイ１４１、データパス１４２、データパス１４４、固定通信基地局システム１４５、データパス１８１、固定通信ネットワーク１８０、データパス１８２を経由して、固定通信端末システム１５２に受信される。
当該関連情報提示用メタ情報付き録画映像転送要求を受信した固定通信端末システム１５２は、まず、上記放送映像録画視聴システム１５８に対して録画映像転送要求を別プロトコルとして送信し、該要求はデータパス１５５、データパス１５７を経由して放送映像録画視聴システム１５８に受信される（ステップ６２９）。当該要求を受信した放送映像録画視聴システム１５８は、録画映像メタ情報管理テーブル９０２を参照して、録画映像のメタ情報の一部である図示されない格納先情報を読み出し、該読み出された格納先情報に基づいて録画映像管理ユニット９０１を参照して、録画映像を読み出す。次に放送映像録画視聴システム１５８は、上記読み出した録画映像を映像編集システム１５６に転送する。
【００９６】
上記と並行して、上記映像編集用メタ情報付き録画映像転送要求を受信した固定通信端末システム１５２は、当該要求に含まれる関連情報提示用メタ情報をネット情報検索編集システム１５４に送信する。当該関連情報提示用メタ情報を受信したネット情報検索システム１５４は、固定通信ネットワーク１８０と広域ネットワーク１６０を介してネット情報提供システム１０１にアクセスして関連情報を取得する（ステップ６５３、６５４）。該取得された関連情報は、データパス１９０を介して、映像編集システム１５６に送付される。
上記映像編集システム１５６から上記録画映像を受信し、上記ネット情報検索システム１５４から上記関連情報を受信した映像編集システムは、該録画映像を編集する。この編集処理により、上記「サッカートーナメント決勝  日本対アルゼンチン戦」の録画情報から、上記「サッカートーナメント決勝戦  日本対アルゼンチン戦  およびサッカートーナメント主催者公式ホームページ」が編集作成される。
【００９７】
最後に映像編集システム１５６は、上記別プロトコルとして送信された録画映像転送要求への応答として、上記編集処理後の録画映像を上記固定通信端末システム１５２に送信する（ステップ６３０）。データパス１５７、データパス１５５を経由して当該応答を受信した固定通信端末システム１５２は、固定通信側映像転送システム１４３に対して、上記映像編集用メタ情報付き録画映像転送要求に基づくデータ転送として、上記受信した編集処理後の録画映像を送信する。当該編集処理後の録画映像転送は、データパス１８２、固定通信ネットワーク１８０、データパス１８１、固定通信基地局システム１４５、データパス１４４を経由して、固定通信事業者１４０の固定通信側映像転送システム１４３に受信される（ステップ６３１）。当該編集処理後の録画映像転送を受信した固定通信側映像転送システム１４３は、移動通信事業者１３０の移動通信側映像転送システム１３３に対して、当該受信した編集処理後の録画映像を転送する（ステップ６３２）。移動通信側映像転送システム１３３は、データパス１４２、ゲートウェイシステム１４１、データパス１７２、専用ネットワーク１７０、データパス１７１、ゲートウェイシステム１３１、データパス１３２を介して該転送された編集処理後の録画映像を受信する。該転送された編集処理後の録画映像を受信した移動通信側映像転送システム１３３は、上記映像編集オプション付き録画映像転送要求を送出した移動通信端末システム１５１に対して、上記受信した編集処理後の録画映像を転送する。当該映像編集オプション付き録画映像転送は、データパス１３４、移動通信基地局システム１３５、無線通信ネットワーク１７３を経由して、通信サービス契約者１５０の移動通信端末システム１５１に受信されて（ステップ６３３）、上記編集処理後の録画映像として表示される。
【００９８】
上記の説明では、上記編集処理後の録画映像に関連情報自体を付随させる形式について説明した。これとは別な方法として、上記ネット情報検索編集システム１５４が検索結果のネット情報を格納保存しておき、当該格納保存された関連情報のアドレスを上記編集処理後の録画映像に付随させる方法が考えられる。この場合、移動通信端末１５１は、上記転送された映像を視聴した後に、必要に応じて関連情報の転送を要求する（ステップ６５５）。当該要求は無線通信ネットワーク１７３、移動通信事業者１３０、広域ネットワーク１６０を介して映像編集用メタ情報事業者１２０の通信事業者間連携システム１２１に受信される（ステップ６５６）。通信事業者間連携システム１２１は該関連情報の要求を中継し（ステップ６５７）、当該要求は、広域ネットワーク１６０、固定通信事業者１４０、固定通信ネットワーク１８０を介して、ネット情報検索システム１５４に受信される（ステップ６５８）。ネット情報検索システム１５４は、格納管理している関連情報を読み出して、上記要求の応答として送信する（ステップ６５９）。当該応答は、上記の要求が伝達されたパスを逆にたどって、要求送出元の移動通信端末システム１５１に受信され、関連情報として表示される（ステップ６６０、６６１、６６２）。
【００９９】
上述のように、本願第４の実施例は、転送対象の録画映像に関連する関連情報提示用メタ情報の作成・提供により、転送対象の録画映像に関係する情報の提供を可能とした点にある。以上で、本願第４の実施例の情報配信システムにおける基本録画・接続・転送処理フローの説明を終える。
【実施例５】
【０１００】
次に、本願情報配信システムの第５の実施例として、上記図１に示した情報配信システムにおける第５の情報配信処理フローを詳細に説明する。
【０１０１】
本願の第５の実施例である情報配信処理フローを図７に示す。本願第５の実施例の特徴は、放送映像録画視聴システム１５８が、該システムに格納された録画映像の視聴形態を分析して数値化した視聴形態メタ情報を採取し、該視聴形態メタ情報を映像編集用メタ情報提供事業者１２０に転送して、  映像編集用メタ情報提供事業者が該視聴形態メタ情報を用いて映像編集用メタ情報を作成する点にある。この方法により、放送映像の視聴頻度が高い部分でハイライト映像を作成するなど、付加価値の高い映像編集用メタ情報を作成することが可能となる。これに対して、上述の第３および第４の実施例では、映像編集用メタ情報の作成について特別に言及していなかった。以下、本実施例の情報配信処理フローを図７に従い、必要に応じて図１、図８、図９を参照しながら、詳細に説明する。
【０１０２】
まず、第１のフェーズとして、放送映像録画視聴システム１５８は、録画番組の視聴形態に関するメタ情報を取得する（番組視聴フェーズ７０１）。具体的な処理ステップとして、通信サービス契約者１５０は、放送映像録画視聴システム１５８の録画映像を視聴する（ステップ７０２）。この際、実際の視聴に用いる機器は放送映像録画視聴システム１５８に留まらず、上記実施例１等に示したように移動通信端末を用いて、ネットワーク越しに放送映像録画視聴システム１５８の録画映像を視聴する形態を想定することも可能である。次に、放送映像録画視聴システム１５８は、視聴形態分析処理９０９を起動して上記視聴形態を分析して、録画映像毎に、番組名９０６、視聴開始位置９０７、視聴終了位置９０８、視聴回数、早送り開始位置、早送り終了位置、巻き戻し開始位置、巻き戻し終了位置などの視聴形態メタ情報を採取し、視聴形態メタ情報テーブル９０５に格納する（ステップ７０３）。
【０１０３】
次に、第２のフェーズとして、通信サービス契約者１５０は、固定通信端末システム１５２を用いて、本映像配送システムへの接続を実施する（固定端末接続フェーズ７０４）。具体的な処理ステップとしては、固定通信端末システム１５２は、映像編集用メタ情報提供事業者１２０の通信事業者間連携システム１２１に対して、接続要求を送信する（ステップ７０５）。当該接続要求は、固定通信ネットワーク１８０、固定通信基地局システム１４５、データパス１４４、データパス１４２、ゲートウェイシステム１４１、データパス１６５、広域ネットワーク１６０、データパス１６３を経由して転送され、映像編集用メタ情報提供事業者１２０の通信事業者間連携システム１２１に受信される（ステップ７０６）。当該接続要求を受信した通信事業者間連携システム１２１は、移動・固定通信端末認証処理８０１を起動して、端末認証を実施する（ステップ７０７）。
【０１０４】
移動・固定通信端末認証処理８０１は、上記接続要求に含まれる固定通信事業者識別番号８０８と固定通信端末識別番号８０９をキーとして、通信事業者間連携システム１２１内の通信サービスメタ情報管理テーブル８０４を検索し、該テーブルに格納されている契約者メタ情報８１０の一部である固定端末システム認証情報を得て、該認証情報を用いて上記固定通信端末システムを認証する。上記認証情報は、公開鍵証明書を始め、従来提案されている種々の方法を適用可能であり、本願では特にこれ以上言及しない。
【０１０５】
上記認証処理が終了すると、通信事業者間連携システム１２１は、固定通信端末１５２に対して、上記接続要求の応答として上記認証結果を送信する（ステップ７０８）。当該送信された応答は、データパス１６３、広域ネットワーク１６０、データパス１６５、データパス１４２、データパス１４４、固定通信基地局システム１４５、固定通信ネットワーク１８０を経由して固定通信端末システム１５２に受信されて（ステップ７０９）、接続の可否が表示される。
【０１０６】
接続が成功すると、第３のフェーズとして、通信サービス契約者１５０は、固定通信端末システム１５２を用いて、録画映像の視聴形態メタ情報の送信を要求する（視聴形態メタ情報収集フェーズ７１０）。具体的な処理ステップとしては、固定通信端末システム１５２は、映像編集用メタ情報提供事業者１２０の通信事業者間連携システム１２１に対して、視聴形態メタ情報送信要求を送信する（ステップ７１１）。当該視聴形態メタ情報送信要求は、固定通信ネットワーク１８０、固定通信基地局システム１４５、データパス１４４、データパス１４２、ゲートウェイシステム１４１、データパス１６５、広域ネットワーク１６０、データパス１６３を経由して転送され、映像編集用メタ情報提供事業者１２０の通信事業者間連携システム１２１に受信される（ステップ７１２）。当該視聴形態メタ情報送信要求を受信した通信事業者間連携システム１２１は、視聴形態メタ情報格納処理８３６を起動する。視聴形態メタ情報格納処理８３６は、上記視聴形態メタ情報送信要求に含まれる契約社名８２９をキーとして、映像編集用メタ情報提供システム１２３内の映像編集用メタ情報管理テーブル８２８に、上記視聴形態メタ情報（例えば、番組名８３０、視聴開始位置８３１、視聴終了位置８３２など）を格納する（ステップ７１３）。
【０１０７】
次に、視聴形態メタ情報格納処理８３６は、個人情報提供対価算定処理８３３を起動し、上記視聴形態メタ情報という個人情報の提供に対する対価を算定し、契約者ごとにインセンティブとして加算する（ステップ７１４）。加算された該対価は、契約者の図示されないシステム利用料金の算定時に、料金の一部を差し引くための原資とするなどの目的に使用される。
【０１０８】
最後に、上記処理が終了すると、通信事業者間連携システム１２１は、固定通信端末１５２に対して、上記視聴形態メタ情報送信要求の応答を送信する（ステップ７１５）。当該送信された応答は、データパス１６３、広域ネットワーク１６０、データパス１６５、データパス１４２、データパス１４４、固定通信基地局システム１４５、固定通信ネットワーク１８０を経由して固定通信端末システム１５２に受信される（ステップ７１６）。
【０１０９】
以上に示したように、各契約者の録画映像の視聴形態メタ情報を収集することで、放映時間の視聴率だけではなく、累積的な視聴形態メタ情報に基づいた、より付加価値の高い映像編集用メタ情報を作成することが可能となる。以上で、本願情報配信システムの第５の実施例である情報配信処理フローの説明を終える。
【産業上の利用可能性】
【０１１０】
本発明は、上記実施例に示すように、携帯電話とインターネットサービス提供事業者、そしてテレビビデオレコーダからなる映像配信システムとして実現可能なことは明らかである。従って、ＩＴ機器を用いた情報入手を必要とする事務あるいは企画業務を始め、娯楽や学習といった広範な分野に適用が可能である。
【図面の簡単な説明】
【０１１１】
【図１】情報配信システムの構成
【図２】情報配信システムの録画・接続・転送処理フロー１
【図３】情報配信システムの終了処理フロー１
【図４】情報配信システムの録画・接続・転送処理フロー２
【図５】情報配信システムの録画・接続・転送処理フロー３
【図６】情報配信システムの録画・接続・転送処理フロー４
【図７】情報配信システムの視聴形態メタ情報収集処理フロー５
【図８】映像編集用メタ情報提供事業者のシステム構成
【図９】通信サービス契約者のシステム構成
【符号の説明】
【０１１２】
１００・・ネット情報提供事業者、１０１・・ネット情報提供システム、
１１０・・放送事業者、  １１２・・放送映像送信システム、
１２０・・映像編集用メタ情報提供事業者、
１２３・・映像編集用メタ情報提供システム、
１３０・・移動通信事業者、１３３・・移動通信側映像転送システム、
１４０・・固定通信事業者、１４３・・固定通信側映像転送システム、
１５０・・通信サービス契約者、１５１・・移動通信端末システム、
１５２・・固定通信端末システム、
１６０・・広域ネットワーク、１７０・・専用ネットワーク、
１８０・・固定通信ネットワーク
【図１】
2006352593.tif 000003
【図２】
2006352593.tif 000004
【図３】
2006352593.tif 000005
【図４】
2006352593.tif 000006
【図５】
2006352593.tif 000007
【図６】
2006352593.tif 000008
【図７】
2006352593.tif 000009
【図８】
2006352593.tif 000010
【図９】
2006352593.tif 000011